(57)【要約】【課題】分散型電源から電力負荷への電力供給が緊急停止された場合でも、商用電力系統を安定化し、系統動揺の発生を抑制することができる需要家内緊急時需給バランス装置を提供する。【解決手段】商用電力系統２０及びＤＧ２１０から電力負荷３００に供給される電力の需給バランスを制御する需要家内緊急時需給バランス装置１００であって、ＤＧ２１０の緊急停止により低減される供給電力の低減量を示すＤＧ２１０の発電電力値を取得する電力値取得部１１０と、取得された発電電力値の電力が電力負荷３００に供給されている電力から低減されるように、電力負荷３００のうちの供給電力の低減対象となる低減負荷と低減負荷に供給する供給電力値とを決定する供給電力決定部１２０と、ＤＧ２１０からの電力供給が緊急停止された場合に、決定された低減負荷に供給電力値の電力が供給されるように、低減負荷に出力制御指令を行う出力制御指令部１３０とを備える。【選択図】図２
2011223758.tif 000002
【特許請求の範囲】
【請求項１】
分散型電源と、前記分散型電源が設置される需要家の複数の電力負荷とに接続され、前記分散型電源及び商用電力系統から前記複数の電力負荷に供給される電力の需給バランスを制御する装置であって、
前記分散型電源から前記複数の電力負荷への電力供給が緊急停止される場合での、緊急停止により低減される供給電力の低減量を示す前記分散型電源の発電電力値を取得する電力値取得部と、
取得された前記発電電力値の電力が、前記複数の電力負荷に供給されている電力から低減されるように、前記複数の電力負荷のうちの供給電力の低減対象となる電力負荷である低減負荷と前記低減負荷に供給する電力の値である供給電力値とを決定する供給電力決定部と、
前記分散型電源から前記複数の電力負荷への電力供給が緊急停止された場合に、決定された前記低減負荷に前記供給電力値の電力が供給されるように、前記低減負荷に出力制御指令を行う出力制御指令部と
を備える需要家内緊急時需給バランス装置。
【請求項２】
前記分散型電源は、前記商用電力系統に接続されており、
前記出力制御指令部は、前記商用電力系統の系統電力のじょう乱により、前記分散型電源から前記複数の電力負荷への電力供給が緊急停止された場合に、前記低減負荷に前記出力制御指令を行う
請求項１に記載の需要家内緊急時需給バランス装置。
【請求項３】
前記分散型電源は、前記分散型電源から出力される直流電力を交流電力に変換するインバータを介して、前記商用電力系統及び前記複数の電力負荷に接続されており、
前記出力制御指令部は、前記商用電力系統の瞬時電圧低下によって前記インバータの動作が停止したことにより、前記分散型電源から前記複数の電力負荷への電力供給が緊急停止された場合に、前記低減負荷に前記出力制御指令を行う
請求項２に記載の需要家内緊急時需給バランス装置。
【請求項４】
さらに、前記分散型電源から前記複数の電力負荷への電力供給が緊急停止されたか否かを示す緊急停止フラグを含むＤＧ状変時受信情報テーブルを記憶している記憶部を備え、
前記電力値取得部は、さらに、前記緊急停止フラグを取得して前記ＤＧ状変時受信情報テーブルを更新し、
前記出力制御指令部は、更新された前記ＤＧ状変時受信情報テーブルを参照し、前記緊急停止フラグが前記緊急停止されたことを示していると判断した場合に、前記低減負荷に前記出力制御指令を行う
請求項１〜３のいずれか１項に記載の需要家内緊急時需給バランス装置。
【請求項５】
前記電力値取得部は、前記分散型電源の発電電力値の所定時間内での減少量を、前記低減量を示す前記分散型電源の発電電力値として取得し、
前記供給電力決定部は、前記減少量が所定の値を超える場合に、前記減少量の電力が前記複数の電力負荷に供給されている電力から低減されるように、前記低減負荷と前記供給電力値とを決定し、
前記出力制御指令部は、前記減少量が前記所定の値を超える場合に、前記分散型電源から前記複数の電力負荷への電力供給が緊急停止されたと判断し、前記低減負荷に前記出力制御指令を行う
請求項１〜３のいずれか１項に記載の需要家内緊急時需給バランス装置。
【請求項６】
さらに、複数の前記減少量それぞれに対応付けて、互いに対応付けられた前記低減負荷と前記供給電力値とを含む制御テーブルを複数記憶している記憶部を備え、
前記供給電力決定部は、
前記複数の減少量それぞれについて、前記低減負荷と前記供給電力値とを決定して、前記複数の制御テーブルを更新し、
前記分散型電源の発電電力値の所定時間内での減少量が前記所定の値を超えた場合に、前記所定の値を超えた減少量に対応した制御テーブルを前記複数の制御テーブルの中から選択し、
選択した前記制御テーブルに含まれる低減負荷と供給電力値とを、前記出力制御指令を行うための低減負荷及び供給電力値と決定する
請求項５に記載の需要家内緊急時需給バランス装置。
【請求項７】
さらに、互いに対応付けられた前記電力負荷と前記電力負荷に供給する電力を低減する優先順位とを含む事前設定テーブルを記憶している記憶部を備え、
前記供給電力決定部は、前記事前設定テーブルを参照し、前記優先順位が高い電力負荷から供給する電力を低減するように、前記低減負荷と前記供給電力値とを決定する
請求項１〜６のいずれか１項に記載の需要家内緊急時需給バランス装置。
【請求項８】
前記事前設定テーブルは、前記電力負荷と前記優先順位とに対応付けられた、前記電力負荷に供給する電力の低減後の値である制御値をさらに含み、
前記記憶部は、さらに、互いに対応付けられた前記電力負荷と前記電力負荷に供給されている電力の値である現電力値とを含む定周期受信情報テーブルを記憶しており、
前記電力値取得部は、所定の周期で前記現電力値を取得して、前記定周期受信情報テーブルを更新し、
前記供給電力決定部は、更新された前記定周期受信情報テーブルをさらに参照して、前記現電力値と前記制御値との差分の合計が、前記電力値取得部が取得した前記発電電力値以上になるまで、前記優先順位が高い電力負荷から積算し、積算対象となった電力負荷を前記低減負荷として決定し、前記低減負荷に対応する前記制御値を前記供給電力値として決定する
請求項７に記載の需要家内緊急時需給バランス装置。
【請求項９】
前記記憶部は、さらに、互いに対応付けられた前記低減負荷と前記供給電力値とを含む制御テーブルを記憶しており、
前記供給電力決定部は、所定の周期で前記低減負荷と前記供給電力値とを決定して、前記制御テーブルを更新し、
前記出力制御指令部は、前記分散型電源から前記複数の電力負荷への電力供給が緊急停止された場合に、更新された前記制御テーブルを参照して、前記低減負荷に前記供給電力値の電力が供給されるように、前記低減負荷に前記出力制御指令を行う
請求項８に記載の需要家内緊急時需給バランス装置。
【請求項１０】
前記記憶部は、さらに、互いに対応付けられた復旧後の低減負荷と復旧後の供給電力値とを含む自動復旧テーブルを記憶しており、
前記供給電力決定部は、さらに、前記出力制御指令部が前記低減負荷に出力制御指令を行った後に、前記分散型電源からの電力供給が緊急停止された場合に前記供給電力値が前記制御値に変更された低減負荷を前記復旧後の低減負荷として決定するとともに、前記制御値への変更前の前記現電力値を前記復旧後の供給電力値として決定して、前記自動復旧テーブルを更新し、
前記出力制御指令部は、さらに、前記電力値取得部が取得した前記発電電力値から、前記分散型電源から前記複数の電力負荷への電力供給が再開されたと判断した場合に、更新された前記自動復旧テーブルを参照して、前記復旧後の低減負荷に前記復旧後の供給電力値の電力が供給されるように、前記復旧後の低減負荷に出力制御指令を行う
請求項８又は９に記載の需要家内緊急時需給バランス装置。
【請求項１１】
前記複数の電力負荷のうちの少なくとも１つは、電力を充放電可能な蓄電装置であり、
前記供給電力決定部は、前記低減負荷が前記蓄電装置の場合は、前記蓄電装置に充電する電力の値又は前記蓄電装置から放電される電力の値である前記供給電力値を決定し、
前記出力制御指令部は、前記低減負荷が前記蓄電装置の場合は、前記蓄電装置に前記供給電力値の電力を充電させる、又は前記蓄電装置に前記供給電力値の電力を放電させるように、前記蓄電装置に出力制御指令を行う
請求項１〜１０のいずれか１項に記載の需要家内緊急時需給バランス装置。
【請求項１２】
分散型電源と、前記分散型電源が設置される需要家の複数の電力負荷とに接続され、前記分散型電源及び商用電力系統から前記複数の電力負荷に供給される電力の需給バランスを制御する装置であって、
前記分散型電源から前記複数の電力負荷への電力供給が緊急停止された後に再開される場合での、再開により増加される供給電力の増加量を示す前記分散型電源の発電電力値を取得する電力値取得部と、
取得された前記発電電力値の電力が、前記複数の電力負荷に供給されている電力から増加されるように、前記複数の電力負荷のうちの供給電力の増加対象となる電力負荷である復旧負荷と前記復旧負荷に供給する電力の値である復旧電力値とを決定する供給電力決定部と、
前記分散型電源から前記複数の電力負荷への電力供給が緊急停止された後に再開された場合に、決定された前記復旧負荷に前記復旧電力値の電力が供給されるように、前記復旧負荷に出力制御指令を行う出力制御指令部と
を備える需要家内緊急時需給バランス装置。
【請求項１３】
さらに、互いに対応付けられた前記電力負荷と前記電力負荷に供給する電力を低減する優先順位とを含む事前設定テーブルと、互いに対応付けられた前記復旧負荷と前記復旧電力値とを含む自動復旧テーブルとを記憶している記憶部を備え、
前記供給電力決定部は、前記事前設定テーブルを参照し、前記分散型電源から前記複数の電力負荷への電力供給が緊急停止されたことで供給電力が低減された電力負荷のうち、前記優先順位が低い電力負荷から供給電力を増加するように、前記復旧負荷と前記復旧電力値とを決定して、前記自動復旧テーブルを更新し、
前記出力制御指令部は、更新された前記自動復旧テーブルを参照して、前記復旧負荷に前記復旧電力値の電力が供給されるように、前記復旧負荷に出力制御指令を行う
請求項１２に記載の需要家内緊急時需給バランス装置。
【請求項１４】
分散型電源と、前記分散型電源が設置される需要家の複数の電力負荷とに接続された需要家内緊急時需給バランス装置が、前記分散型電源及び商用電力系統から前記複数の電力負荷に供給される電力の需給バランスを制御する方法であって、
前記分散型電源から前記複数の電力負荷への電力供給が緊急停止される場合での、緊急停止により低減される供給電力の低減量を示す前記分散型電源の発電電力値を取得する電力値取得ステップと、
取得された前記発電電力値の電力が、前記複数の電力負荷に供給されている電力から低減されるように、前記複数の電力負荷のうちの供給電力の低減対象となる電力負荷である低減負荷と前記低減負荷に供給する電力の値である供給電力値とを決定する供給電力決定ステップと、
前記分散型電源から前記複数の電力負荷への電力供給が緊急停止された場合に、決定された前記低減負荷に前記供給電力値の電力が供給されるように、前記低減負荷に出力制御指令を行う出力制御指令ステップと
を含む需要家内緊急時需給バランス方法。
【請求項１５】
分散型電源と、前記分散型電源が設置される需要家の複数の電力負荷とに接続された需要家内緊急時需給バランス装置が、前記分散型電源及び商用電力系統から前記複数の電力負荷に供給される電力の需給バランスを制御する方法であって、
前記分散型電源から前記複数の電力負荷への電力供給が緊急停止された後に再開される場合での、再開により増加される供給電力の増加量を示す前記分散型電源の発電電力値を取得する電力値取得ステップと、
取得された前記発電電力値の電力が、前記複数の電力負荷に供給されている電力から増加されるように、前記複数の電力負荷のうちの供給電力の増加対象となる電力負荷である復旧負荷と前記復旧負荷に供給する電力の値である復旧電力値とを決定する供給電力決定ステップと、
前記分散型電源から前記複数の電力負荷への電力供給が緊急停止された後に再開された場合に、決定された前記復旧負荷に前記復旧電力値の電力が供給されるように、前記復旧負荷に出力制御指令を行う出力制御指令ステップと
を含む需要家内緊急時需給バランス方法。
【請求項１６】
分散型電源と、前記分散型電源が設置される需要家の複数の電力負荷とに接続された需要家内緊急時需給バランス装置が、前記分散型電源及び商用電力系統から前記複数の電力負荷に供給される電力の需給バランスを制御するためのプログラムであって、
前記分散型電源から前記複数の電力負荷への電力供給が緊急停止される場合での、緊急停止により低減される供給電力の低減量を示す前記分散型電源の発電電力値を取得する電力値取得ステップと、
取得された前記発電電力値の電力が、前記複数の電力負荷に供給されている電力から低減されるように、前記複数の電力負荷のうちの供給電力の低減対象となる電力負荷である低減負荷と前記低減負荷に供給する電力の値である供給電力値とを決定する供給電力決定ステップと、
前記分散型電源から前記複数の電力負荷への電力供給が緊急停止された場合に、決定された前記低減負荷に前記供給電力値の電力が供給されるように、前記低減負荷に出力制御指令を行う出力制御指令ステップと
をコンピュータに実行させるプログラム。
【請求項１７】
分散型電源と、前記分散型電源が設置される需要家の複数の電力負荷とに接続された需要家内緊急時需給バランス装置が、前記分散型電源及び商用電力系統から前記複数の電力負荷に供給される電力の需給バランスを制御するためのプログラムであって、
前記分散型電源から前記複数の電力負荷への電力供給が緊急停止された後に再開される場合での、再開により増加される供給電力の増加量を示す前記分散型電源の発電電力値を取得する電力値取得ステップと、
取得された前記発電電力値の電力が、前記複数の電力負荷に供給されている電力から増加されるように、前記複数の電力負荷のうちの供給電力の増加対象となる電力負荷である復旧負荷と前記復旧負荷に供給する電力の値である復旧電力値とを決定する供給電力決定ステップと、
前記分散型電源から前記複数の電力負荷への電力供給が緊急停止された後に再開された場合に、決定された前記復旧負荷に前記復旧電力値の電力が供給されるように、前記復旧負荷に出力制御指令を行う出力制御指令ステップと
をコンピュータに実行させるプログラム。
【発明の詳細な説明】
【技術分野】
【０００１】
本発明は、商用電力系統のじょう乱による分散型電源の脱落などが発生した場合に、商用電力系統及び分散型電源から需要家の電力負荷に供給される電力の需給バランスを制御する需要家内緊急時需給バランス装置に関する。
【背景技術】
【０００２】
近年、太陽光発電や風力発電などの分散型電源を設置し、当該分散型電源と商用電力系統からの電力により、消費する電力負荷に電力を供給する需要家が増えてきている。ここで、瞬時電圧低下などの商用電力系統のじょう乱が発生すると、当該分散型電源が商用電力系統から脱落し、当該分散型電源から電力負荷への電力の供給が緊急停止される場合がある。具体的には、分散型電源は、出力する直流電力を交流電力に変換する電力変換装置を介して商用電力系統に接続されており、商用電力系統のじょう乱が発生すると、当該電力変換装置の保護のために当該電力変換装置の動作が停止されるため、分散型電源から電力負荷への電力の供給が緊急停止される。
【０００３】
このため、従来、商用電力系統のじょう乱時の運転継続性を向上させる電力変換装置が提案されている（例えば、特許文献１参照）。この電力変換装置が実装された分散型電源システムを用いることで、瞬時電圧低下などの商用電力系統のじょう乱が発生した場合でも、分散型電源の商用電力系統からの脱落を低減し、当該分散型電源からの電力負荷への電力供給の緊急停止を抑制することができる。
【先行技術文献】
【特許文献】
【０００４】
【特許文献１】特開２００９−２１９２３８号公報
【発明の概要】
【発明が解決しようとする課題】
【０００５】
しかしながら、上記従来の運転継続性を向上させる電力変換装置が、分散型電源を有する全ての需要家に設置されるとは限らず、当該電力変換装置が設置される需要家は限定的になる可能性が高い。特に、特許文献１に開示された電力変換装置は、大型の太陽光発電設備（メガソーラー）などの分散型電源システムを対象としたものであり、当該電力変換装置を設置する需要家は限定的である。
【０００６】
このように、瞬時電圧低下などの商用電力系統のじょう乱が発生した場合に、多くの需要家で、分散型電源から電力負荷への電力供給が緊急停止される可能性がある。そして、分散型電源から電力負荷への電力供給が緊急停止された場合、商用電力系統で急激な負荷変動が生じるために、商用電力系統の安定性が悪化し、系統全体に動揺が発生する恐れがある。
【０００７】
図１８Ａ及び図１８Ｂは、商用電力系統の安定性が悪化し、系統全体に動揺が発生する従来の問題点を説明する図である。
【０００８】
図１８Ａに示すように、商用電力系統３１及び３２から、需要家群Ａの需要家４０の電力負荷４３に電力が供給されている。また、需要家４０には、太陽光発電である分散型電源４１が設置され、分散型電源４１から電力変換装置であるインバータ４２を介して、電力負荷４３に電力が供給されている。このように、需要家群Ａには、分散型電源が設置された需要家が多く存在する。
【０００９】
また同様に、商用電力系統３３及び３４から需要家群Ｂの需要家５０の電力負荷５３に電力が供給されるとともに、需要家５０に設置された分散型電源５１からインバータ５２を介して電力負荷５３に電力が供給されている。そして、需要家群Ｂにも、分散型電源が設置された需要家が多く存在する。
【００１０】
そして、図１８Ｂに示すように、需要家群Ａの需要家に電力を供給している商用電力系統３１のＰ点で系統事故が発生した場合、商用電力系統３１及び３２の電圧が低下し、需要家群Ａの需要家に供給している電力に瞬時電圧低下が発生する。このため、需要家群Ａの需要家４０に上記従来の運転継続性を向上させる電力変換装置が設置されていない場合、インバータ４２の動作が停止され、分散型電源４１から電力負荷４３への電力の供給が緊急停止される。
【００１１】
また、需要家群Ａの他の需要家についても同様に、上記従来の運転継続性を向上させる電力変換装置が設置されていない場合には、分散型電源から電力負荷への電力の供給が緊急停止される。そして、需要家群Ａの需要家が有する分散型電源からの電力供給が大量に停止された場合、商用電力系統から需要家群Ａの需要家に大量の電力を送電することが必要になる。
【００１２】
これにより、同図に示すように、商用電力系統３２で多くの電力を送電して需要家群Ａの需要家に電力を供給するとともに、需要家群Ｂの需要家に電力を供給していた商用電力系統３３から、需要家群Ａの需要家に電力を供給することが必要になる。このため、商用電力系統３２及び商用電力系統３３などの系統に重潮流が流れ、商用電力系統の安定性が悪化するため、系統全体に動揺が発生する。
【００１３】
なお、需要家群Ｂの需要家においても、当該需要家に供給している電力に瞬時電圧低下が発生するが、ここでは、事故点Ｐからの電気的距離が需要家群Ａよりも遠いため、瞬時電圧低下による需要家群Ｂへの影響は少ないという状況を想定している。また、メーカや型式の違いで需要家群Ｂの分散型電源が脱落しにくい場合もあり、このような想定下では、需要家群Ａの方が需要家群Ｂよりも多くの分散型電源が脱落する。
【００１４】
このように、瞬時電圧低下などの商用電力系統のじょう乱が発生し、分散型電源から電力負荷への電力供給が緊急停止された場合、当該分散型電源の脱落量が広範囲、局所的、かつ、不確定であるため、商用電力系統の安定性が悪化し、系統全体に動揺が発生する恐れがあるという問題がある。
【００１５】
そこで、本発明は、このような問題に鑑みてなされたものであり、分散型電源から電力負荷への電力供給が緊急停止された場合でも、商用電力系統を安定化し、系統動揺の発生を抑制することができる需要家内緊急時需給バランス装置を提供することを目的とする。
【課題を解決するための手段】
【００１６】
上記目的を達成するために、本発明に係る需要家内緊急時需給バランス装置は、分散型電源と、前記分散型電源が設置される需要家の複数の電力負荷とに接続され、前記分散型電源及び商用電力系統から前記複数の電力負荷に供給される電力の需給バランスを制御する装置であって、前記分散型電源から前記複数の電力負荷への電力供給が緊急停止される場合での、緊急停止により低減される供給電力の低減量を示す前記分散型電源の発電電力値を取得する電力値取得部と、取得された前記発電電力値の電力が、前記複数の電力負荷に供給されている電力から低減されるように、前記複数の電力負荷のうちの供給電力の低減対象となる電力負荷である低減負荷と前記低減負荷に供給する電力の値である供給電力値とを決定する供給電力決定部と、前記分散型電源から前記複数の電力負荷への電力供給が緊急停止された場合に、決定された前記低減負荷に前記供給電力値の電力が供給されるように、前記低減負荷に出力制御指令を行う出力制御指令部とを備える。
【００１７】
これによれば、分散型電源から電力負荷への電力供給が緊急停止された場合に、分散型電源が発電している電力が、電力負荷に供給されている電力から低減されるように、電力負荷に出力制御指令を行う。このため、分散型電源から電力負荷への電力供給が緊急停止された場合でも、商用電力系統から需要家の電力負荷に供給されている電力が増加するのを抑制することができる。このように、需要家単位での需給バランスの維持により、商用電力系統に重潮流が流れることを抑制することができるため、商用電力系統を安定化し、系統動揺の発生を抑制することができる。
【００１８】
また、好ましくは、前記分散型電源は、前記商用電力系統に接続されており、前記出力制御指令部は、前記商用電力系統の系統電力のじょう乱により、前記分散型電源から前記複数の電力負荷への電力供給が緊急停止された場合に、前記低減負荷に前記出力制御指令を行う。
【００１９】
これによれば、商用電力系統の系統電力のじょう乱により、分散型電源から電力負荷への電力供給が緊急停止された場合に、電力負荷に出力制御指令を行う。このため、瞬時電圧低下などの商用電力系統のじょう乱が発生し、分散型電源から電力負荷への電力供給が緊急停止された場合でも、商用電力系統を安定化し、系統動揺の発生を抑制することができる。
【００２０】
また、好ましくは、前記分散型電源は、前記分散型電源から出力される直流電力を交流電力に変換するインバータを介して、前記商用電力系統及び前記複数の電力負荷に接続されており、前記出力制御指令部は、前記商用電力系統の瞬時電圧低下によって前記インバータの動作が停止したことにより、前記分散型電源から前記複数の電力負荷への電力供給が緊急停止された場合に、前記低減負荷に前記出力制御指令を行う。
【００２１】
これによれば、商用電力系統のじょう乱によってインバータの動作が停止したことにより、分散型電源から電力負荷への電力供給が緊急停止された場合に、電力負荷に出力制御指令を行う。このため、インバータの動作停止によって、分散型電源から電力負荷への電力供給が緊急停止された場合でも、商用電力系統を安定化し、系統動揺の発生を抑制することができる。
【００２２】
また、好ましくは、さらに、前記分散型電源から前記複数の電力負荷への電力供給が緊急停止されたか否かを示す緊急停止フラグを含むＤＧ状変時受信情報テーブルを記憶している記憶部を備え、前記電力値取得部は、さらに、前記緊急停止フラグを取得して前記ＤＧ状変時受信情報テーブルを更新し、前記出力制御指令部は、更新された前記ＤＧ状変時受信情報テーブルを参照し、前記緊急停止フラグが前記緊急停止されたことを示していると判断した場合に、前記低減負荷に前記出力制御指令を行う。
【００２３】
これによれば、緊急停止フラグが、分散型電源から電力負荷への電力供給が緊急停止されたことを示している場合に、電力負荷に出力制御指令を行う。このため、緊急停止フラグによって当該緊急停止されたか否かを容易に判断することができる。したがって、分散型電源から電力負荷への電力供給が緊急停止されたか否かを容易に判断して、商用電力系統を安定化し、系統動揺の発生を抑制することができる。
【００２４】
また、前記電力値取得部は、前記分散型電源の発電電力値の所定時間内での減少量を、前記緊急停止により低減される前記分散型電源の発電電力値として取得し、前記供給電力決定部は、前記減少量が所定の値を超える場合に、前記減少量の電力が前記複数の電力負荷に供給されている電力から低減されるように、前記低減負荷と前記供給電力値とを決定し、前記出力制御指令部は、前記減少量が前記所定の値を超える場合に、前記分散型電源から前記複数の電力負荷への電力供給が緊急停止されたと判断し、前記低減負荷に前記出力制御指令を行うことにしてもよい。
【００２５】
これによれば、分散型電源の発電電力値の所定時間内での減少量から、分散型電源から電力負荷への電力供給が緊急停止されたか否かを判断して、当該減少量の電力が低減されるように低減負荷と供給電力値とを決定し、出力制御指令を行う。つまり、分散型電源が複数備えられている需要家においては、複数の分散型電源の発電電力値の合計値の減少量から、低減負荷と供給電力値とを決定し、出力制御指令を行うことができる。このため、複数の分散型電源のうち一部の分散型電源しか脱落しない場合においても、当該減少量から低減負荷と供給電力値とを決定し、出力制御指令を行うことができる。また、完全には脱落せずに出力が減少する分散型電源についても、減少した出力に応じた低減負荷と供給電力値とを決定し、出力制御指令を行うことができる。したがって、複数の分散型電源を備えている需要家や完全に脱落しない分散型電源を備えている需要家においても、需給バランスを維持することができるため、商用電力系統を安定化し、系統動揺の発生を抑制することができる。
【００２６】
また、好ましくは、さらに、複数の前記減少量それぞれに対応付けて、互いに対応付けられた前記低減負荷と前記供給電力値とを含む制御テーブルを複数記憶している記憶部を備え、前記供給電力決定部は、前記複数の減少量それぞれについて、前記低減負荷と前記供給電力値とを決定して、前記複数の制御テーブルを更新し、前記分散型電源の発電電力値の所定時間内での減少量が前記所定の値を超えた場合に、前記所定の値を超えた減少量に対応した制御テーブルを前記複数の制御テーブルの中から選択し、選択した前記制御テーブルに含まれる低減負荷と供給電力値とを、前記出力制御指令を行うための低減負荷及び供給電力値と決定する。
【００２７】
これによれば、複数の減少量それぞれに対応付けて複数の制御テーブルを記憶しており、複数の制御テーブルから所定の値を超えた減少量に対応した制御テーブルを選択し、出力制御指令を行うための低減負荷及び供給電力値を決定する。つまり、出力制御指令を行うための制御テーブルを予め記憶させておくことで、減少量が所定の値を超えた場合に、低減負荷及び供給電力値を決定するために演算等の処理を行う必要がなく、容易に低減負荷及び供給電力値を決定することができる。したがって、容易に、低減負荷及び供給電力値を決定して、電力負荷に出力制御指令を行うことができ、商用電力系統を安定化し、系統動揺の発生を抑制することができる。
【００２８】
また、好ましくは、さらに、互いに対応付けられた前記電力負荷と前記電力負荷に供給する電力を低減する優先順位とを含む事前設定テーブルを記憶している記憶部を備え、前記供給電力決定部は、前記事前設定テーブルを参照し、前記優先順位が高い電力負荷から供給する電力を低減するように、前記低減負荷と前記供給電力値とを決定する。
【００２９】
これによれば、事前設定テーブルを用いて、優先順位が高い電力負荷から供給する電力を低減するように、電力負荷に出力制御指令を行う。このため、事前に設定した優先順位に従って電力負荷に供給する電力を低減することができる。また、事前設定テーブルによって、優先順位を容易に判断することができる。したがって、分散型電源から電力負荷への電力供給が緊急停止された場合でも、容易に事前に設定した優先順位を判断して、電力負荷に出力制御指令を行うことができ、商用電力系統を安定化し、系統動揺の発生を抑制することができる。
【００３０】
また、好ましくは、前記事前設定テーブルは、前記電力負荷と前記優先順位とに対応付けられた、前記電力負荷に供給する電力の低減後の値である制御値をさらに含み、前記記憶部は、さらに、互いに対応付けられた前記電力負荷と前記電力負荷に供給されている電力の値である現電力値とを含む定周期受信情報テーブルを記憶しており、前記電力値取得部は、所定の周期で前記現電力値を取得して、前記定周期受信情報テーブルを更新し、前記供給電力決定部は、更新された前記定周期受信情報テーブルをさらに参照して、前記現電力値と前記制御値との差分の合計が、前記電力値取得部が取得した前記発電電力値以上になるまで、前記優先順位が高い電力負荷から積算し、積算対象となった電力負荷を前記低減負荷として決定し、前記低減負荷に対応する前記制御値を前記供給電力値として決定する。
【００３１】
これによれば、所定の周期で更新される定周期受信情報テーブルを用いて、分散型電源が発電している電力が、電力負荷に供給されている電力から低減されるように、優先順位が高い電力負荷から電力供給を低減していく。このため、定周期受信情報テーブルを参照することで、電力負荷に供給されている最新の電力値を容易に取得でき、電力負荷への出力制御指令を正確に行うことができる。したがって、分散型電源から電力負荷への電力供給が緊急停止された場合でも、容易に、電力負荷への出力制御指令を正確に行うことができ、商用電力系統を安定化し、系統動揺の発生を抑制することができる。
【００３２】
また、好ましくは、前記記憶部は、さらに、互いに対応付けられた前記低減負荷と前記供給電力値とを含む制御テーブルを記憶しており、前記供給電力決定部は、所定の周期で前記低減負荷と前記供給電力値とを決定して、前記制御テーブルを更新し、前記出力制御指令部は、前記分散型電源から前記複数の電力負荷への電力供給が緊急停止された場合に、更新された前記制御テーブルを参照して、前記低減負荷に前記供給電力値の電力が供給されるように、前記低減負荷に前記出力制御指令を行う。
【００３３】
これによれば、所定の周期で更新される制御テーブルを用いて、電力負荷に出力制御指令を行う。このため、制御テーブルを参照することで、容易に、電力負荷に最新の出力制御指令を行うことができるため、電力負荷への出力制御指令を正確に行うことができる。したがって、分散型電源から電力負荷への電力供給が緊急停止された場合でも、容易に、電力負荷への出力制御指令を正確に行うことができ、商用電力系統を安定化し、系統動揺の発生を抑制することができる。
【００３４】
また、好ましくは、前記記憶部は、さらに、互いに対応付けられた復旧後の低減負荷と復旧後の供給電力値とを含む自動復旧テーブルを記憶しており、前記供給電力決定部は、さらに、前記出力制御指令部が前記低減負荷に出力制御指令を行った後に、前記分散型電源からの電力供給が緊急停止された場合に前記供給電力値が前記制御値に変更された低減負荷を前記復旧後の低減負荷として決定するとともに、前記制御値への変更前の前記現電力値を前記復旧後の供給電力値として決定して、前記自動復旧テーブルを更新し、前記出力制御指令部は、さらに、前記電力値取得部が取得した前記発電電力値から、前記分散型電源から前記複数の電力負荷への電力供給が再開されたと判断した場合に、更新された前記自動復旧テーブルを参照して、前記復旧後の低減負荷に前記復旧後の供給電力値の電力が供給されるように、前記復旧後の低減負荷に出力制御指令を行う。
【００３５】
これによれば、分散型電源から電力負荷への電力供給が再開された場合に、自動復旧テーブルを用いて、電力負荷への電力供給が復旧されるように、電力負荷に出力制御指令を行う。このため、分散型電源から電力負荷への電力供給が再開された場合に、自動的に電力負荷への電力供給が復旧される。また、自動復旧テーブルを参照することで、容易に、電力負荷への電力供給を復旧することができる。したがって、分散型電源から電力負荷への電力供給が緊急停止された場合でも、分散型電源から電力負荷への電力供給が再開されれば、容易に、自動的に電力負荷への電力供給を復旧することができ、商用電力系統を安定化し、系統動揺の発生を抑制することができる。
【００３６】
また、好ましくは、前記複数の電力負荷のうちの少なくとも１つは、電力を充放電可能な蓄電装置であり、前記供給電力決定部は、前記低減負荷が前記蓄電装置の場合は、前記蓄電装置に充電する電力の値又は前記蓄電装置から放電される電力の値である前記供給電力値を決定し、前記出力制御指令部は、前記低減負荷が前記蓄電装置の場合は、前記蓄電装置に前記供給電力値の電力を充電させる、又は前記蓄電装置に前記供給電力値の電力を放電させるように、前記蓄電装置に出力制御指令を行う。
【００３７】
これによれば、複数の電力負荷のうちの少なくとも１つは蓄電装置である。そして、分散型電源から電力負荷への電力供給が緊急停止された場合に、蓄電装置への充電を停止し、蓄電装置から放電させるように、蓄電装置に出力制御指令を行う。これにより、分散型電源から電力負荷への電力供給が緊急停止された場合でも、他の電力負荷の供給電力の低減量を抑えることができ、商用電力系統を安定化し、系統動揺の発生を抑制することができる。
【００３８】
また、上記目的を達成するために、本発明に係る需要家内緊急時需給バランス装置は、分散型電源と、前記分散型電源が設置される需要家の複数の電力負荷とに接続され、前記分散型電源及び商用電力系統から前記複数の電力負荷に供給される電力の需給バランスを制御する装置であって、前記分散型電源から前記複数の電力負荷への電力供給が緊急停止された後に再開される場合での、再開により増加される供給電力の増加量を示す前記分散型電源の発電電力値を取得する電力値取得部と、取得された前記発電電力値の電力が、前記複数の電力負荷に供給されている電力から増加されるように、前記複数の電力負荷のうちの供給電力の増加対象となる電力負荷である復旧負荷と前記復旧負荷に供給する電力の値である復旧電力値とを決定する供給電力決定部と、前記分散型電源から前記複数の電力負荷への電力供給が緊急停止された後に再開された場合に、決定された前記復旧負荷に前記復旧電力値の電力が供給されるように、前記復旧負荷に出力制御指令を行う出力制御指令部とを備える。
【００３９】
これによれば、分散型電源から複数の電力負荷への電力供給が緊急停止された後に再開された場合に、再開により増加される発電電力値の電力が、電力負荷に供給されている電力から増加されるように、電力負荷に出力制御指令を行う。このため、分散型電源から電力負荷への電力供給が再開された場合に、商用電力系統から需要家の電力負荷に供給されている電力が減少するのを抑制することができる。このように、需要家単位での需給バランスの維持により、商用電力系統を安定化し、系統動揺の発生を抑制することができる。
【００４０】
また、好ましくは、さらに、互いに対応付けられた前記電力負荷と前記電力負荷に供給する電力を低減する優先順位とを含む事前設定テーブルと、互いに対応付けられた前記復旧負荷と前記復旧電力値とを含む自動復旧テーブルとを記憶している記憶部を備え、前記供給電力決定部は、前記事前設定テーブルを参照し、前記分散型電源から前記複数の電力負荷への電力供給が緊急停止されたことで供給電力が低減された電力負荷のうち、前記優先順位が低い電力負荷から供給電力を増加するように、前記復旧負荷と前記復旧電力値とを決定して、前記自動復旧テーブルを更新し、前記出力制御指令部は、更新された前記自動復旧テーブルを参照して、前記復旧負荷に前記復旧電力値の電力が供給されるように、前記復旧負荷に出力制御指令を行う。
【００４１】
これによれば、事前設定テーブルを参照して、電力負荷に供給する電力を低減する優先順位が低い電力負荷から供給電力を増加するように、復旧負荷と復旧電力値とを決定して、出力制御指令を行う。つまり、供給電力を低減した順番とは逆の順番で供給電力を増加するように、復旧負荷と復旧電力値とを決定して、出力制御指令を行う。これにより、復旧する必要性が高い電力負荷から優先的に供給電力の復旧を行うことができる。また、事前設定テーブルによって、優先順位を容易に判断することができる。したがって、分散型電源から複数の電力負荷への電力供給が緊急停止された後に再開された場合でも、容易に事前に設定した優先順位を判断して、電力負荷に出力制御指令を行うことができ、商用電力系統を安定化し、系統動揺の発生を抑制することができる。
【００４２】
なお、本発明は、このような需要家内緊急時需給バランス装置として実現することができるだけでなく、需要家内緊急時需給バランス装置が備える各処理部が行う処理をステップとする需要家内緊急時需給バランス方法として実現することもできる。また、需要家内緊急時需給バランス方法に含まれる特徴的な処理をコンピュータに実行させるプログラムや集積回路として実現したりすることもできる。そして、そのようなプログラムは、ＣＤ−ＲＯＭ等の記録媒体及びインターネット等の伝送媒体を介して流通させることができるのは言うまでもない。
【発明の効果】
【００４３】
本発明により、商用電力系統及び分散型電源から需要家の電力負荷に供給される電力の需給バランスを制御する需要家内緊急時需給バランス装置において、分散型電源から電力負荷への電力供給が緊急停止された場合でも、商用電力系統を安定化し、系統動揺の発生を抑制することができる。
【図面の簡単な説明】
【００４４】
【図１】本実施の形態に係る需要家内緊急時需給バランス装置を備える需要家内の構成を示す図である。
【図２】本実施の形態に係る需要家内緊急時需給バランス装置の機能構成を示すブロック図である。
【図３】本実施の形態に係る事前設定テーブルの一例を示す図である。
【図４】本実施の形態に係る定周期受信情報テーブルの一例を示す図である。
【図５】本実施の形態に係るＤＧ状変時受信情報テーブルの一例を示す図である。
【図６】本実施の形態に係る制御テーブルの一例を示す図である。
【図７】本実施の形態に係る自動復旧テーブルの一例を示す図である。
【図８】本実施の形態に係る需要家内緊急時需給バランス装置の動作の一例を示すフローチャートである。
【図９】本実施の形態に係る需要家内緊急時需給バランス装置が行う動作を説明するための図である。
【図１０】本実施の形態に係る需要家内緊急時需給バランス装置が行う動作を説明するための図である。
【図１１】本実施の形態に係る供給電力決定部が低減負荷と供給電力値とを決定する処理の一例を示すフローチャートである。
【図１２】本実施の形態に係る需要家内緊急時需給バランス装置が行う復旧処理の一例を示すフローチャートである。
【図１３】本実施の形態に係る需要家内緊急時需給バランス装置が行う復旧処理を説明するための図である。
【図１４】本実施の形態に係る需要家内緊急時需給バランス装置が行う復旧処理を説明するための図である。
【図１５】本実施の形態の第１及び第２の変形例に係る需要家内緊急時需給バランス装置の機能構成を示すブロック図である。
【図１６】本実施の形態の第１の変形例に係る需要家内緊急時需給バランス装置の動作の一例を示すフローチャートである。
【図１７】本実施の形態の第２の変形例に係る需要家内緊急時需給バランス装置の動作の一例を示すフローチャートである。
【図１８Ａ】商用電力系統の安定性が悪化し、系統全体に動揺が発生する従来の問題点を説明する図である。
【図１８Ｂ】商用電力系統の安定性が悪化し、系統全体に動揺が発生する従来の問題点を説明する図である。
【発明を実施するための形態】
【００４５】
以下、図面を参照しながら、本発明の実施の形態に係る需要家内緊急時需給バランス装置について説明する。
【００４６】
図１は、本発明の実施の形態に係る需要家内緊急時需給バランス装置１００を備える需要家１０内の構成を示す図である。
【００４７】
同図に示すように、需要家内緊急時需給バランス装置１００は、需要家１０に設置された分散型電源システム２００と、需要家１０の電力負荷３００とに接続されている。なお、需要家内緊急時需給バランス装置１００と、分散型電源システム２００及び電力負荷３００とは、有線で接続されていてもよいし、無線で通信を行うことにより接続されていてもよい。
【００４８】
分散型電源システム２００は、分散型電源及びインバータを備え、需要家１０の電力負荷３００に電力を供給するためのシステムである。ここでは、分散型電源は、需要家１０の家の屋根に設置された太陽光発電である。なお、分散型電源は、太陽光発電に限定されず、風力発電、燃料電池、ガスエンジン又はガスタービンなど、需要家に設置される発電設備であれば、どのようなものであってもよい。
【００４９】
電力負荷３００は、需要家１０内で電力を消費する負荷である。具体的には、電力負荷３００は、複数の電力負荷として、蓄電装置３１０及び負荷３２０（同図では、負荷１〜負荷ｎのｎ個の電力負荷）を有している。
【００５０】
蓄電装置３１０は、電力を充放電可能な装置である。具体的には、蓄電装置３１０は、分散型電源システム２００及び商用電力系統２０から供給される電力を充電し、負荷３２０に対して充電した電力を放電する。また、負荷３２０は、需要家１０内で電力を消費する機器であり、例えば、テレビや冷蔵庫、エコキュート（登録商標）などの電気温水器、エアコン、電子レンジなどの家電機器である。
【００５１】
そして、需要家内緊急時需給バランス装置１００は、分散型電源システム２００及び商用電力系統２０から電力負荷３００に供給される電力の需給バランスを制御する。なお、商用電力系統２０は、電力会社から電力負荷３００に電力を供給するための電力系統である。
【００５２】
次に、需要家内緊急時需給バランス装置１００の構成について、詳細に説明する。
【００５３】
図２は、本実施の形態に係る需要家内緊急時需給バランス装置１００の機能構成を示すブロック図である。
【００５４】
ここで、同図に示すように、分散型電源システム２００は、分散型電源であるＤＧ２１０と、ＤＧ２１０から出力される直流電力を交流電力に変換するインバータ２２０とを備えている。具体的には、上述したようにＤＧ２１０は太陽光発電であり、インバータ２２０は、太陽光発電で発電された直流電力を、商用電力系統２０に対応した交流電力に変換する機能を有する。
【００５５】
なお、ＤＧ２１０は他の分散型電源でもよく、インバータ２２０は当該他の分散型電源に対応する機能を有するインバータであってもよい。また、同図では、１つのＤＧ２１０と１つのインバータ２２０とを図示しているが、ＤＧ２１０は複数備えられていてもよく、インバータ２２０は、当該複数のＤＧ２１０に対応して複数備えられていてもよい。
【００５６】
また、ＤＧ２１０は、インバータ２２０を介して、商用電力系統２０及び電力負荷３００に接続されている。これにより、ＤＧ２１０が発電した電力と、商用電力系統２０から送電される電力とが、電力負荷３００が有する複数の電力負荷に供給され、消費される。
【００５７】
そして、需要家内緊急時需給バランス装置１００は、分散型電源システム２００及び商用電力系統２０から電力負荷３００に供給される電力の需給バランスを制御するコンピュータである。
【００５８】
なお、この需要家内緊急時需給バランス装置１００は、専用のコンピュータシステム、又はパーソナルコンピュータ等の汎用のコンピュータシステムがプログラムを実行することによって実現される。また、需要家内緊急時需給バランス装置１００が備える各機能は、需要家内の電力負荷を調整することができるスマートメータなどの電力量計に実装されてもよい。
【００５９】
また、同図に示すように、需要家内緊急時需給バランス装置１００は、電力値取得部１１０、供給電力決定部１２０、出力制御指令部１３０及び記憶部１４０を備えている。
【００６０】
電力値取得部１１０は、分散型電源システム２００から、ＤＧ２１０から電力負荷３００への電力供給が緊急停止される場合での緊急停止により低減される供給電力の低減量を示すＤＧ２１０の発電電力値と、緊急停止フラグとを、所定の周期で取得する。ここで、緊急停止により低減される供給電力の低減量を示すＤＧ２１０の発電電力値とは、ＤＧ２１０の脱落前後の発電電力値の差（低減量）である。
【００６１】
具体的には、本実施の形態では、ＤＧ２１０が完全に脱落するものと想定し、当該低減量を、ＤＧ２１０が脱落直前に発電していた発電電力値とする。また、緊急停止フラグとは、ＤＧ２１０から電力負荷３００への電力供給が緊急停止されたか否かを示すフラグである。
【００６２】
また、電力値取得部１１０は、電力負荷３００が有する複数の電力負荷である蓄電装置３１０及び負荷３２０のそれぞれの電力負荷から、それぞれの電力負荷に供給されている電力の値である現電力値を、所定の周期で取得する。
【００６３】
ここで、所定の周期とは、発電電力値と緊急停止フラグと現電力値とを正確に取得できるのであればどのような周期であってもよいが、例えばｓｅｃオーダーや分オーダーなどである。なお、電力値取得部１１０は、発電電力値と緊急停止フラグと現電力値とを、同じ周期で取得してもよいし、それぞれ異なる周期で取得してもよい。
【００６４】
なお、緊急停止フラグは、瞬時で伝送、受信、検出が行われる必要があるため、電力値取得部１１０が緊急停止フラグを取得する周期は、発電電力値を取得する周期よりも速く、ｓｅｃオーダーであるのが好ましい。
【００６５】
また、電力値取得部１１０は、ＤＧ２１０から電力負荷３００への電力供給が緊急停止された後に再開される場合での、再開により増加される供給電力の増加量を示すＤＧ２１０の発電電力値を取得する。本実施の形態では、ＤＧ２１０の再開により増加される供給電力の増加量を示すＤＧ２１０の発電電力値とは、ＤＧ２１０の緊急停止により低減されたＤＧ２１０の発電電力値である。
【００６６】
供給電力決定部１２０は、電力負荷３００が有する複数の電力負荷のうちの供給電力の低減対象となる電力負荷である低減負荷と、当該低減負荷に供給する電力の値である供給電力値とを決定する。つまり、供給電力決定部１２０は、ＤＧ２１０から電力負荷３００への電力供給が緊急停止された場合に供給電力の低減対象となる低減負荷と、当該低減負荷に供給する供給電力値とを決定する。また、供給電力決定部１２０は、ＤＧ２１０から電力負荷３００への電力供給が再開された場合に、電力供給を変更するように、低減負荷と供給電力値とを決定する。
【００６７】
具体的には、供給電力決定部１２０は、電力値取得部１１０が取得したＤＧ２１０の緊急停止前の発電電力値の電力が、当該複数の電力負荷である電力負荷３００に供給されている電力から低減されるように、所定の周期で当該低減負荷と当該供給電力値とを決定する。なお、所定の周期とは、どのような周期であってもよいが、例えばｓｅｃオーダーや分オーダーなどである。
【００６８】
さらに具体的には、供給電力決定部１２０は、予め定められた優先順位が高い電力負荷から供給する電力を低減するように、低減負荷と供給電力値とを決定する。ここで、優先順位とは、供給電力の低減対象となる電力負荷の優先度を定めた順位である。つまり、優先度が高い電力負荷ほど、優先的に電力供給が低減される。
【００６９】
また、さらに具体的には、供給電力決定部１２０は、現電力値と、電力負荷３００に供給する電力の低減後の値である制御値との差分の合計が、電力値取得部１１０が取得した発電電力値以上になるまで、優先順位が高い電力負荷から積算し、積算対象となった電力負荷を低減負荷として決定し、当該低減負荷に対応する制御値を供給電力値として決定する。
【００７０】
また、供給電力決定部１２０は、低減負荷が蓄電装置３１０の場合は、蓄電装置３１０に充電する電力の値又は蓄電装置３１０から放電される電力の値を供給電力値として決定する。
【００７１】
また、供給電力決定部１２０は、電力値取得部１１０が取得した発電電力値の電力が、電力負荷３００に供給されている電力から増加されるように、電力負荷３００のうちの供給電力の増加対象となる電力負荷である復旧負荷と当該復旧負荷に供給する電力の値である復旧電力値とを決定する。
【００７２】
具体的には、供給電力決定部１２０は、ＤＧ２１０から電力負荷３００への電力供給が緊急停止されたことで供給電力が低減された電力負荷のうち、優先順位が低い電力負荷から供給電力を増加するように、復旧負荷と復旧電力値とを決定する。
【００７３】
出力制御指令部１３０は、供給電力決定部１２０が決定した低減負荷に供給電力値の電力が供給されるように、当該低減負荷に出力制御指令を行う。
【００７４】
具体的には、出力制御指令部１３０は、ＤＧ２１０から当該複数の電力負荷である電力負荷３００への電力供給が緊急停止された場合に、低減負荷に供給電力値の電力が供給されるように、当該低減負荷に出力制御指令を行う。つまり、出力制御指令部１３０は、商用電力系統２０の系統電力のじょう乱によって分散型電源システム２００のインバータ２２０の動作が停止したことにより、ＤＧ２１０から電力負荷３００への電力供給が緊急停止された場合に、当該低減負荷に出力制御指令を行う。
【００７５】
ここで、商用電力系統のじょう乱とは、瞬時電圧低下、系統事故時の系統保護継電装置によるしゃ断器開放で発生する位相跳躍、系統事故後の再閉路装置によるしゃ断器投入で発生する位相跳躍、又は、運用者による系統操作（しゃ断器の投入、開放）により発生する位相跳躍などによって、商用電力系統に乱れが発生することをいう。
【００７６】
さらに具体的には、出力制御指令部１３０は、電力値取得部１１０が取得した緊急停止フラグが、ＤＧ２１０から電力負荷３００への電力供給が緊急停止されたことを示していると判断した場合に、低減負荷に出力制御指令を行う。
【００７７】
また、出力制御指令部１３０は、ＤＧ２１０から電力負荷３００への電力供給が緊急停止された後に再開された場合に、復旧負荷に復旧電力値の電力が供給されるように、復旧負荷に出力制御指令を行う。
【００７８】
つまり、出力制御指令部１３０は、電力値取得部１１０が取得した発電電力値から、ＤＧ２１０から電力負荷３００への電力供給が再開されたと判断した場合に、低減負荷への電力供給が復旧されるように、低減負荷に出力制御指令を行う。
【００７９】
また、出力制御指令部１３０は、低減負荷が蓄電装置３１０の場合は、蓄電装置３１０に供給電力値の電力を充電させる、又は蓄電装置３１０に供給電力値の電力を放電させるように、蓄電装置３１０に出力制御指令を行う。
【００８０】
記憶部１４０は、需要家内緊急時需給バランス装置１００による需給バランスの制御に用いられるデータテーブルである事前設定テーブル１４１、定周期受信情報テーブル１４２、ＤＧ状変時受信情報テーブル１４３、制御テーブル１４４及び自動復旧テーブル１４５等を記憶する半導体メモリ等である。これらのデータテーブルについては、後述する。
【００８１】
なお、需要家内緊急時需給バランス装置１００は、上記処理部以外にも、ＣＲＴ（Ｃａｔｈｏｄｅ−Ｒａｙ  Ｔｕｂｅ）やＬＣＤ（Ｌｉｑｕｉｄ  Ｃｒｙｓｔａｌ  Ｄｉｓｐｌａｙ）等の表示部や、キーボードやマウス等の入力部を備えていることにしてもよい。
【００８２】
次に、記憶部１４０が記憶しているデータテーブルについて、詳細に説明する。図３〜図７は、それぞれ、事前設定テーブル１４１、定周期受信情報テーブル１４２、ＤＧ状変時受信情報テーブル１４３、制御テーブル１４４及び自動復旧テーブル１４５の一例を説明する図である。
【００８３】
図３は、本実施の形態に係る事前設定テーブル１４１の一例を示す図である。
【００８４】
事前設定テーブル１４１は、互いに対応付けられた、電力負荷と、電力負荷に供給する電力を低減する優先順位と、電力負荷に供給する電力の低減後の値である制御値とを含むデータテーブルである。
【００８５】
つまり、同図に示すように、「電力負荷」は、電力負荷３００が有する複数の電力負荷である蓄電装置３１０及び負荷１〜負荷ｎの負荷３２０を示している。
【００８６】
また、「優先順位」は、「電力負荷」に供給する電力を低減する優先順位を示す値である。つまり、優先順位の値が小さい電力負荷ほど、優先的に供給する電力を低減する。同図では、蓄電装置３１０の優先順位が最も小さいので、蓄電装置３１０に供給する電力から優先的に低減する。
【００８７】
また、「制御値」は、「電力負荷」に供給する電力の低減後の値である。例えば、優先順位２で、負荷３が供給電力の低減対象になった場合は、負荷３への供給電力を「０Ｗ」に低減する。また、優先順位３で、負荷ｎが供給電力の低減対象になった場合は、負荷ｎへの供給電力を「５００Ｗ」に低減する。そして、優先順位４で、負荷ｎがさらに供給電力の低減対象になった場合は、負荷ｎへの供給電力を「５００Ｗ」から「０Ｗ」に低減する。
【００８８】
また、優先順位１で、蓄電装置３１０が供給電力の低減対象になった場合は、蓄電装置３１０への供給電力を「−１ｋＷ」に低減する。なお、蓄電装置３１０への供給電力を「−１ｋＷ」に低減するとは、蓄電装置３１０から１ｋＷの電力を放電させることを示している。
【００８９】
供給電力決定部１２０は、この事前設定テーブル１４１を参照し、優先順位が高い電力負荷から供給する電力を低減するように、低減負荷と供給電力値とを決定する。また、供給電力決定部１２０は、事前設定テーブル１４１を参照し、低減負荷のうち優先順位が低い電力負荷から供給電力を増加するように、復旧負荷と復旧電力値とを決定する。なお、事前設定テーブル１４１は、需要家内緊急時需給バランス装置１００が需給バランスの制御を開始する前に、予め作成されている。
【００９０】
図４は、本実施の形態に係る定周期受信情報テーブル１４２の一例を示す図である。
【００９１】
同図に示すように、定周期受信情報テーブル１４２は、互いに対応付けられた、電力負荷と、当該電力負荷に供給されている電力の値である現電力値とを含むデータテーブルである。
【００９２】
具体的には、同図に示すように、「送信元」は、電力値取得部１１０へ発電電力値を送信するＤＧ２１０と、現電力値を送信する電力負荷３００である蓄電装置３１０及び負荷３２０（負荷１〜負荷ｎ）とを示している。つまり、「送信元」は、電力負荷３００を含むデータの集まりである。
【００９３】
また、「項目」は、電力値取得部１１０へ送信されたデータの種類を示している。具体的には、「項目」は、ＤＧ２１０の発電電力、蓄電装置３１０の充放電電力、蓄電装置３１０の充電割合（残存容量）を示すＳＯＣ（Ｓｔａｔｅ  Ｏｆ  Ｃｈａｒｇｅ）、及び負荷１〜ｎの消費電力などを示している。
【００９４】
また、「受信値」は、電力値取得部１１０が受信した値を示している。具体的には、「受信値」は、ＤＧ２１０の発電電力値、蓄電装置３１０の充放電電力値及びＳＯＣの値、及び負荷１〜ｎの消費電力の値などを示している。つまり、「受信値」は、電力負荷３００の現電力値である蓄電装置３１０の充放電電力値及び負荷１〜ｎの消費電力値を含むデータの集まりである。
【００９５】
なお、ＤＧ２１０が複数備えられている場合は、当該複数のＤＧ２１０のそれぞれについて「送信元」、「項目」及び「受信値」が示されるか、又は当該複数のＤＧ２１０の発電電力の合計値が「受信値」に示される。
【００９６】
このように、定周期受信情報テーブル１４２は、互いに対応付けられた電力負荷と現電力値とを含むデータテーブルである。
【００９７】
電力値取得部１１０は、所定の周期で発電電力値や現電力値を取得して、定周期受信情報テーブル１４２を更新する。そして、供給電力決定部１２０は、事前設定テーブル１４１と、更新された定周期受信情報テーブル１４２とを参照して、低減負荷と供給電力値とを決定する。
【００９８】
図５は、本実施の形態に係るＤＧ状変時受信情報テーブル１４３の一例を示す図である。
【００９９】
同図に示すように、ＤＧ状変時受信情報テーブル１４３は、緊急停止フラグを含むデータテーブルである。ここで、緊急停止フラグは、電力値取得部１１０によって分散型電源システム２００から取得される、ＤＧ２１０から電力負荷３００への電力供給が緊急停止されたか否かを示すフラグである。
【０１００】
具体的には、同図に示すように、「送信元」には、電力値取得部１１０へ緊急停止フラグを送信する送信元であるＤＧ２１０が示されている。また、「項目」には、ＤＧ２１０から電力値取得部１１０へ送信されるデータの内容である緊急停止フラグが示されている。そして、「受信値」には、電力値取得部１１０がＤＧ２１０から受信する緊急停止フラグの値が示されている。
【０１０１】
ここで、緊急停止フラグが「０」の場合は、ＤＧ２１０が緊急停止されていない状態（以下、通常状態という）であることを示しており、緊急停止フラグが「１」の場合は、ＤＧ２１０から電力負荷３００への電力供給が緊急停止された状態（以下、緊急停止状態という）であることを示している。
【０１０２】
なお、ＤＧ２１０が複数備えられている場合は、記憶部１４０には、当該複数のＤＧ２１０のそれぞれについて、ＤＧ状変時受信情報テーブル１４３が記憶されている。
【０１０３】
電力値取得部１１０は、分散型電源システム２００から緊急停止フラグを取得して、ＤＧ状変時受信情報テーブル１４３の「受信値」を更新する。そして、出力制御指令部１３０は、更新されたＤＧ状変時受信情報テーブル１４３を参照し、緊急停止フラグが緊急停止状態であることを示していると判断した場合に、低減負荷に出力制御指令を行う。
【０１０４】
図６は、本実施の形態に係る制御テーブル１４４の一例を示す図である。
【０１０５】
同図に示すように、制御テーブル１４４は、互いに対応付けられた低減負荷と供給電力値とを含むデータテーブルである。
【０１０６】
具体的には、同図に示すように、「低減負荷」は、供給電力決定部１２０が決定した、電力負荷３００が有する複数の電力負荷のうちの供給電力の低減対象となる電力負荷である低減負荷を示している。また、「供給電力値」は、供給電力決定部１２０が決定した、当該低減負荷に供給する電力の値である供給電力値を示している。
【０１０７】
つまり、供給電力決定部１２０は、低減負荷と供給電力値とを決定して、制御テーブル１４４を更新する。そして、出力制御指令部１３０は、ＤＧ２１０が緊急停止状態の場合に、更新された制御テーブル１４４を参照して、低減負荷に供給電力値の電力が供給されるように、低減負荷に出力制御指令を行う。
【０１０８】
具体的には、同図に示す場合は、出力制御指令部１３０は、「低減負荷」である蓄電装置３１０への供給電力値が「−１ｋＷ」になるように、蓄電装置３１０に出力制御指令を行う。つまり、出力制御指令部１３０は、蓄電装置３１０から１ｋＷの電力を放電させるように、蓄電装置３１０に出力制御指令を行う。また、出力制御指令部１３０は、負荷３と負荷ｎとに、供給電力値が「０Ｗ」になるように出力制御指令を行う。
【０１０９】
図７は、本実施の形態に係る自動復旧テーブル１４５の一例を示す図である。
【０１１０】
同図に示すように、自動復旧テーブル１４５は、互いに対応付けられた復旧負荷と復旧電力値とを含むデータテーブルである。
【０１１１】
具体的には、同図に示すように、「復旧負荷」は、供給電力決定部１２０が決定した復旧後の低減負荷を示している。また、「復旧電力値」は、供給電力決定部１２０が決定した復旧後の供給電力値を示している。なお、供給電力決定部１２０が決定する復旧負荷及び復旧電力値の詳細な説明は、後述する。
【０１１２】
つまり、供給電力決定部１２０は、復旧負荷と復旧電力値とを決定して、自動復旧テーブル１４５を更新する。そして、出力制御指令部１３０は、ＤＧ２１０から電力負荷３００への電力供給が再開されたと判断した場合に、更新された自動復旧テーブル１４５を参照して、復旧負荷に復旧電力値の電力が供給されるように、復旧負荷に出力制御指令を行う。
【０１１３】
具体的には、同図に示す場合は、出力制御指令部１３０は、「復旧負荷」である蓄電装置３１０への供給電力値が「１ｋＷ」になるように、蓄電装置３１０に出力制御指令を行う。つまり、出力制御指令部１３０は、蓄電装置３１０に１ｋＷの電力を充電させるように、蓄電装置３１０に出力制御指令を行う。また、出力制御指令部１３０は、負荷３及び負荷ｎに、供給電力値がそれぞれ「１００Ｗ」及び「９００Ｗ」になるように出力制御指令を行う。
【０１１４】
次に、需要家内緊急時需給バランス装置１００が行う処理について、説明する。
【０１１５】
図８は、本実施の形態に係る需要家内緊急時需給バランス装置１００の動作の一例を示すフローチャートである。
【０１１６】
図９及び図１０は、本実施の形態に係る需要家内緊急時需給バランス装置１００が行う動作を説明するための図である。
【０１１７】
図８に示すように、まず、記憶部１４０に、事前設定テーブル１４１が記憶される（Ｓ１０２）。つまり、事前設定テーブル１４１は、図３に示されたように、ユーザによって予め作成され、記憶部１４０に事前に記憶される。
【０１１８】
図８に戻り、次に、電力値取得部１１０は、分散型電源システム２００から、ＤＧ２１０の発電電力値を取得する（Ｓ１０４）。具体的には、図９に示すように、電力値取得部１１０は、分散型電源システム２００から、ＤＧ２１０の発電電力値として、「３ｋＷ」を取得する。
【０１１９】
なお、本実施の形態では、この発電電力値は、ＤＧ２１０から電力負荷３００への電力供給が緊急停止される場合での緊急停止により低減されるＤＧ２１０の発電電力値であり、また、ＤＧ２１０から電力負荷３００への電力供給が緊急停止された後に再開される場合での、再開により増加されるＤＧ２１０の発電電力値でもある。
【０１２０】
図８に戻り、電力値取得部１１０は、電力負荷３００が有する複数の電力負荷から、それぞれの電力負荷に供給されている現電力値を取得する（Ｓ１０６）。具体的には、図９に示すように、電力値取得部１１０は、例えば、蓄電装置３１０から、充放電電力として「１ｋＷ」及びＳＯＣとして「８０％」を取得するとともに、負荷３２０の負荷ｎから、負荷ｎの消費電力として「９００Ｗ」を取得する。
【０１２１】
そして、図８に戻り、電力値取得部１１０は、定周期受信情報テーブル１４２を更新する（Ｓ１０８）。具体的には、電力値取得部１１０は、定周期受信情報テーブル１４２に含まれるＤＧ２１０の発電電力値や電力負荷３００の現電力値を、取得した発電電力値や現電力値に書き換えることで、図４に示されたように、定周期受信情報テーブル１４２を更新する。
【０１２２】
図８に戻り、次に、供給電力決定部１２０は、ＤＧ２１０が運転中であるか否かを判断する（Ｓ１１０）。このＤＧ２１０が運転中であるか否かの判断は、どのような方法で行われてもよいが、例えば、供給電力決定部１２０は、分散型電源システム２００から取得したＤＧ２１０の発電電力値が正の値であるか否かによって、ＤＧ２１０が運転中であるか否かを判断する。
【０１２３】
そして、供給電力決定部１２０が、ＤＧ２１０が運転中ではないと判断した場合は（Ｓ１１０でＮＯ）、再度、電力値取得部１１０が、ＤＧ２１０の発電電力値を取得し（Ｓ１０４）、電力負荷に供給されている現電力値を取得し（Ｓ１０６）、定周期受信情報テーブル１４２を更新する（Ｓ１０８）。
【０１２４】
また、供給電力決定部１２０は、ＤＧ２１０が運転中であると判断した場合は（Ｓ１１０でＹＥＳ）、低減負荷と供給電力値とを決定する（Ｓ１１２）。つまり、供給電力決定部１２０は、ＤＧ２１０から電力負荷３００への電力供給が緊急停止されて低減負荷に出力制御指令を行う場合に備えて、低減負荷と供給電力値とを事前に計算しておく。
【０１２５】
具体的には、供給電力決定部１２０は、事前設定テーブル１４１と、更新された最新の定周期受信情報テーブル１４２とを参照して、電力値取得部１１０が取得した発電電力値の電力が、電力負荷３００に供給されている電力から低減されるように、低減負荷と供給電力値とを決定する。この供給電力決定部１２０が低減負荷と供給電力値とを決定する処理の詳細な説明は、後述する。
【０１２６】
そして、供給電力決定部１２０は、制御テーブル１４４を更新する（Ｓ１１４）。具体的には、図９に示すように、供給電力決定部１２０は、制御テーブル１４４に含まれる低減負荷と供給電力値とを、決定した低減負荷と供給電力値とに書き換えることで、制御テーブル１４４を更新する。
【０１２７】
図８に戻り、電力値取得部１１０は、緊急停止フラグを取得する周期であるＴ１の初期値を、Ｔ１＝０とする（Ｓ１１６）。
【０１２８】
そして、電力値取得部１１０は、分散型電源システム２００から、緊急停止フラグを取得する（Ｓ１１８）。具体的には、図９に示すように、電力値取得部１１０は、分散型電源システム２００から、緊急停止フラグが示す値として「０」を取得する。
【０１２９】
そして、図８に戻り、電力値取得部１１０は、ＤＧ状変時受信情報テーブル１４３を更新する（Ｓ１２０）。具体的には、電力値取得部１１０は、図５に示されたように、ＤＧ状変時受信情報テーブル１４３に含まれる緊急停止フラグの受信値を、取得した「０」に書き換えることで、ＤＧ状変時受信情報テーブル１４３を更新する。
【０１３０】
そして、図８に戻り、出力制御指令部１３０は、緊急停止フラグの受信値が０であるか否かを判断する（Ｓ１２２）。具体的には、出力制御指令部１３０は、更新された最新のＤＧ状変時受信情報テーブル１４３を参照し、緊急停止フラグの受信値が０であるか否かを判断する。ここで、図９に示されたように、ＤＧ状変時受信情報テーブル１４３の緊急停止フラグの受信値は０である。
【０１３１】
このため、出力制御指令部１３０は、緊急停止フラグの受信値が０であると判断し（Ｓ１２２でＹＥＳ）、Ｔ１に１を加算する（Ｓ１２４）。そして、出力制御指令部１３０は、Ｔ１が所定の値ａになったか否かを判断する（Ｓ１２６）。なお、ａは、ユーザからの入力などによって変更可能な数値である。
【０１３２】
出力制御指令部１３０は、Ｔ１が所定の値ａになっていないと判断した場合は（Ｓ１２６でＮＯ）、再度緊急停止フラグを取得し（Ｓ１１８）、ＤＧ状変時受信情報テーブル１４３を更新する（Ｓ１２０）。このようにして、出力制御指令部１３０は、Ｔ１が０からａになるまで所定の周期で、繰り返し緊急停止フラグを取得して、ＤＧ状変時受信情報テーブル１４３を更新する。
【０１３３】
また、出力制御指令部１３０が、Ｔ１が所定の値ａになったと判断した場合は（Ｓ１２６でＹＥＳ）、電力値取得部１１０が、ＤＧ２１０の発電電力値と電力負荷３００の現電力値とを取得し（Ｓ１０４、Ｓ１０６）、定周期受信情報テーブル１４２を更新する（Ｓ１０８）。そして、供給電力決定部１２０は、低減負荷と供給電力値とを決定し（Ｓ１１２）、制御テーブル１４４を更新する（Ｓ１１４）。
【０１３４】
このようにして、電力値取得部１１０は、Ｔ１がａになるごとに所定の周期で、繰り返し発電電力値と現電力値とを取得して、定周期受信情報テーブル１４２を更新する（Ｓ１０８）。また、供給電力決定部１２０も、所定の周期で、繰り返し低減負荷と供給電力値とを決定して、制御テーブル１４４を更新する。
【０１３５】
つまり、ａは、正の整数であり、電力値取得部１１０が発電電力値と現電力値とを取得して定周期受信情報テーブル１４２を更新する周期、及び供給電力決定部１２０が低減負荷と供給電力値とを決定して制御テーブル１４４を更新する周期に対応して定められる数値である。
【０１３６】
また、出力制御指令部１３０は、緊急停止フラグの受信値が０でないと判断した場合は（Ｓ１２２でＮＯ）、供給電力決定部１２０が決定した低減負荷に供給電力値の電力が供給されるように、当該低減負荷に出力制御指令を行う（Ｓ１２８）。
【０１３７】
具体的には、商用電力系統２０の系統電力のじょう乱によって分散型電源システム２００のインバータ２２０の動作が停止したことにより、ＤＧ２１０から電力負荷３００への電力供給が緊急停止された場合に、図１０に示すように、緊急停止フラグが示す値が「１」に変更される。
【０１３８】
このため、電力値取得部１１０は、分散型電源システム２００から、緊急停止フラグが示す値として「１」を取得し（Ｓ１１８）、定周期受信情報テーブル１４２の緊急停止フラグの受信値を「１」に更新している（Ｓ１２０）。従って、出力制御指令部１３０は、更新された最新のＤＧ状変時受信情報テーブル１４３を参照し、緊急停止フラグの受信値が１であると判断し、低減負荷に出力制御指令を行う。
【０１３９】
具体的には、図１０に示すように、出力制御指令部１３０は、更新された最新の制御テーブル１４４を参照して、低減負荷に供給電力値の電力が供給されるように、低減負荷に出力制御指令を行う。つまり、出力制御指令部１３０は、蓄電装置３１０への供給電力値が「−１ｋＷ」になるように、蓄電装置３１０から１ｋＷの電力を放電させるように、蓄電装置３１０に充放電指令である出力制御指令を行う。また、出力制御指令部１３０は、負荷３と負荷ｎとに、供給電力値が「０Ｗ」になるように出力制御指令を行う。
【０１４０】
図８に戻り、ＤＧ２１０から電力負荷３００への電力供給が再開された場合には、復旧処理が行われる（Ｓ１３０）。この需要家内緊急時需給バランス装置１００が行う復旧処理の詳細な説明については、後述する。
【０１４１】
以上により、需要家内緊急時需給バランス装置１００が行う処理は、終了する。
【０１４２】
なお、需要家内緊急時需給バランス装置１００は、復旧処理（Ｓ１３０）が行われた後に、再度、電力値取得部１１０がＤＧ２１０の発電電力値を取得する以降の処理（Ｓ１０４〜Ｓ１３０）を行うことで、停止の指示を受け付けるまで、当該処理（Ｓ１０４〜Ｓ１３０）を繰り返し行うことにしてもよい。
【０１４３】
また、ＤＧ２１０が複数備えられている場合は、需要家内緊急時需給バランス装置１００は、当該複数のＤＧ２１０のそれぞれについて、上記処理を行う。
【０１４４】
次に、供給電力決定部１２０が低減負荷と供給電力値とを決定する処理（図８のＳ１１２）の詳細について、説明する。
【０１４５】
図１１は、本実施の形態に係る供給電力決定部１２０が低減負荷と供給電力値とを決定する処理の一例を示すフローチャートである。
【０１４６】
同図に示すように、まず、供給電力決定部１２０は、事前設定テーブル１４１を参照し、電力負荷３００が有するそれぞれの電力負荷の優先順位と制御値とを取得する（Ｓ２０２）。
【０１４７】
例えば、供給電力決定部１２０は、図３に示された事前設定テーブル１４１を参照し、蓄電装置３１０の優先順位が「１」で制御値が「−１ｋＷ」であり、負荷３の優先順位が「２」で制御値が「０Ｗ」であり、負荷ｎの優先順位が「３」で制御値が「５００Ｗ」であり、負荷ｎの優先順位が「４」で制御値が「０Ｗ」であることを取得する。
【０１４８】
ここで、負荷ｎについて、「３」と「４」の２段階の優先順位があるのは、例えば負荷ｎがエアコンなどの空調設備である場合に、まず優先順位「３」の「５００Ｗ」まで消費電力を低減させ、さらに消費電力を低減する必要があれば、消費電力を「０Ｗ」にして停止させることを意味する。
【０１４９】
次に、供給電力決定部１２０は、更新された最新の定周期受信情報テーブル１４２を参照して、ＤＧ２１０の発電電力値と電力負荷３００の現電力値とを取得する（Ｓ２０４）。
【０１５０】
例えば、供給電力決定部１２０は、図４に示された定周期受信情報テーブル１４２を参照し、ＤＧ２１０の発電電力値が「３ｋＷ」であり、蓄電装置３１０の充放電電力が「１ｋＷ」であり、負荷３の消費電力が「１００Ｗ」であり、負荷ｎの消費電力が「９００Ｗ」であることを取得する。
【０１５１】
なお、蓄電装置３１０の充放電電力が「１ｋＷ」とは、蓄電装置３１０に１ｋＷの電力が充電されている状態を示しており、蓄電装置３１０の現電力値は「１ｋＷ」である。また、負荷３の現電力値は「１００Ｗ」であり、負荷ｎの現電力値は「９００Ｗ」である。
【０１５２】
そして、供給電力決定部１２０は、現電力値と制御値との差分の合計が、発電電力値以上になるまで、優先順位が高い電力負荷から積算する処理（Ｓ２０８）を繰り返し行う（ループ１：Ｓ２０６〜Ｓ２１０）。
【０１５３】
具体的には、供給電力決定部１２０は、まずは優先順位が「１」の蓄電装置３１０の現電力値と制御値との差分を、１ｋＷ−（−１ｋＷ）＝２ｋＷであると算出する。そして、蓄電装置３１０の現電力値と制御値との差分が、ＤＧ２１０の発電電力値である「３ｋＷ」以上になっていないので、供給電力決定部１２０は、次に優先順位が「２」の負荷３の現電力値と制御値との差分を積算する。
【０１５４】
そして、供給電力決定部１２０は、負荷３の現電力値と制御値との差分を、１００Ｗ−０Ｗ＝１００Ｗであると算出し、２ｋＷに加算して、差分の積算値が２．１ｋＷであると算出する。そして、当該差分の積算値が、ＤＧ２１０の発電電力値である「３ｋＷ」以上になっていないので、供給電力決定部１２０は、さらに優先順位が「３」の負荷ｎの現電力値と制御値との差分を積算する。
【０１５５】
そして、供給電力決定部１２０は、負荷ｎの現電力値と制御値との差分を、９００Ｗ−５００Ｗ＝４００Ｗであると算出し、２．１ｋＷに加算して、差分の積算値が２．５ｋＷであると算出する。そして、当該差分の積算値が、ＤＧ２１０の発電電力値である「３ｋＷ」以上になっていないので、供給電力決定部１２０は、さらに優先順位が「４」の負荷ｎの現電力値と制御値との差分を積算する。
【０１５６】
そして、供給電力決定部１２０は、負荷ｎの現電力値と制御値との差分を、９００Ｗ−０Ｗ＝９００Ｗであると算出し、２．１ｋＷに加算して、差分の積算値が３ｋＷであると算出する。なお、この場合、優先順位が「３」も負荷ｎの差分であったため、優先順位が「３」の場合の負荷ｎの差分は、積算しない。
【０１５７】
そして、当該差分の積算値が、ＤＧ２１０の発電電力値である「３ｋＷ」以上になったので、供給電力決定部１２０は、現電力値と制御値との差分の合計が、発電電力値以上になったと判断する。これにより、供給電力決定部１２０は、当該差分を繰り返し積算する処理（ループ１：Ｓ２０６〜Ｓ２１０）を終了する。
【０１５８】
なお、供給電力決定部１２０は、優先順位が高い電力負荷から積算する処理（Ｓ２０８）において、蓄電装置３１０の充電割合を示すＳＯＣの値が小さい場合には蓄電装置３１０を放電させないなど、ＳＯＣの値に応じて、蓄電装置３１０の放電可能量を細かく設定することができる。
【０１５９】
次に、供給電力決定部１２０は、積算対象となった電力負荷を低減負荷として決定し、当該低減負荷に対応する制御値を供給電力値として決定する（Ｓ２１２）。
【０１６０】
具体的には、供給電力決定部１２０は、蓄電装置３１０と負荷３と負荷ｎとを、低減負荷と決定する。そして、供給電力決定部１２０は、蓄電装置３１０の供給電力値を「−１ｋＷ」、負荷３の供給電力値を「０Ｗ」、及び負荷ｎの供給電力値を「０Ｗ」と決定する。
【０１６１】
以上により、供給電力決定部１２０が低減負荷と供給電力値とを決定する処理（図８のＳ１１２）は、終了する。
【０１６２】
次に、需要家内緊急時需給バランス装置１００が行う復旧処理（図８のＳ１３０）の詳細について、説明する。
【０１６３】
図１２は、本実施の形態に係る需要家内緊急時需給バランス装置１００が行う復旧処理の一例を示すフローチャートである。
【０１６４】
図１３及び図１４は、本実施の形態に係る需要家内緊急時需給バランス装置１００が行う復旧処理を説明するための図である。
【０１６５】
図１２に示すように、まず、供給電力決定部１２０は、出力制御指令部１３０が低減負荷に出力制御指令を行った後（図８のＳ１２８の後）に、復旧後の低減負荷である復旧負荷と復旧後の供給電力値である復旧電力値とを決定する（Ｓ３０２）。
【０１６６】
具体的には、供給電力決定部１２０は、ＤＧ２１０からの電力供給が緊急停止された場合に供給電力値が制御値に変更された低減負荷を復旧負荷として決定する。ここで、ＤＧ２１０からの電力供給が緊急停止された場合に供給電力値が制御値に変更された低減負荷は、蓄電装置３１０と負荷３と負荷ｎである。このため、供給電力決定部１２０は、蓄電装置３１０と負荷３と負荷ｎとを、復旧負荷と決定する。
【０１６７】
また、供給電力決定部１２０は、制御値への変更前の現電力値を復旧電力値として決定する。このため、供給電力決定部１２０は、蓄電装置３１０の復旧電力値を「１ｋＷ」、負荷３の復旧電力値を「１００Ｗ」、及び負荷ｎの復旧電力値を「９００Ｗ」と決定する。
【０１６８】
なお、供給電力決定部１２０は、事前設定テーブル１４１を参照し、低減負荷のうち優先順位が低い電力負荷から供給電力を増加するように、復旧負荷と復旧電力値とを決定する。
【０１６９】
そして、供給電力決定部１２０は、自動復旧テーブル１４５を更新する（Ｓ３０４）。具体的には、供給電力決定部１２０は、自動復旧テーブル１４５に含まれる復旧負荷と復旧電力値とを、決定した復旧負荷と復旧電力値とに書き換えることで、自動復旧テーブル１４５を更新する。
【０１７０】
つまり、図１３に示すように、供給電力決定部１２０は、復旧負荷を、「蓄電装置３１０」、「負荷３」及び「負荷ｎ」に更新する。また、供給電力決定部１２０は、蓄電装置３１０の復旧電力値を「１ｋＷ」、負荷３の復旧電力値を「１００Ｗ」、及び負荷ｎの復旧電力値を「９００Ｗ」に更新する。
【０１７１】
図１２に戻り、次に、電力値取得部１１０は、ＤＧ２１０の発電電力値を取得する周期であるＴ２の初期値を、Ｔ２＝０とする（Ｓ３０６）。
【０１７２】
そして、電力値取得部１１０は、分散型電源システム２００から、ＤＧ２１０の発電電力値を取得する（Ｓ３０８）。具体的には、図１３に示すように、電力値取得部１１０は、分散型電源システム２００から、ＤＧ２１０の発電電力値として「０ｋＷ」を取得する。
【０１７３】
そして、図８に戻り、出力制御指令部１３０は、電力値取得部１１０が取得したＤＧ２１０の発電電力値が「０ｋＷ」であるか否かを判断する（Ｓ３１０）。
【０１７４】
ＤＧ２１０の発電電力値は「０ｋＷ」であるので、出力制御指令部１３０は、ＤＧ２１０の発電電力値が「０ｋＷ」であると判断し（Ｓ３１０でＹＥＳ）、Ｔ２に１を加算する（Ｓ３１２）。そして、出力制御指令部１３０は、Ｔ２が所定の値ｂになったか否かを判断する（Ｓ３１４）。なお、ｂは、ユーザからの入力などによって変更可能な数値である。
【０１７５】
出力制御指令部１３０は、Ｔ２が所定の値ｂになっていないと判断した場合は（Ｓ３１４でＮＯ）、電力値取得部１１０が、再度ＤＧ２１０の発電電力値を取得する（Ｓ３０８）。このようにして、Ｔ２が０からｂになるまで所定の周期で繰り返し、電力値取得部１１０がＤＧ２１０の発電電力値を取得して、出力制御指令部１３０が、ＤＧ２１０の発電電力値が「０ｋＷ」であるか否かを判断する（Ｓ３１０）。
【０１７６】
また、出力制御指令部１３０は、Ｔ２が所定の値ｂになったと判断した場合は（Ｓ３１４でＹＥＳ）、復旧処理を終了する。つまり、ｂは、正の整数であり、ＤＧ２１０が復帰しないことが明らかになる継続時間（ＤＧ２１０が緊急停止状態になってから復旧処理を開始するまでの時間の上限値）に対応して定められる数値である。
【０１７７】
また、出力制御指令部１３０は、ＤＧ２１０の発電電力値が「０ｋＷ」でないと判断した場合は（Ｓ３１０でＮＯ）、復旧負荷に復旧電力値の電力が供給されるように、復旧負荷に出力制御指令を行う（Ｓ３１６）。
【０１７８】
具体的には、図１４に示すように、ＤＧ２１０の発電電力値が「３ｋＷ」になった場合には、電力値取得部１１０がＤＧ２１０の発電電力値を「３ｋＷ」と取得し、出力制御指令部１３０が、ＤＧ２１０の発電電力値が「０ｋＷ」でないと判断する。つまり、出力制御指令部１３０は、電力値取得部１１０が取得した発電電力値から、ＤＧ２１０から電力負荷３００への電力供給が再開されたと判断する。
【０１７９】
そして、出力制御指令部１３０は、更新された自動復旧テーブル１４５を参照して、復旧負荷に復旧電力値の電力が供給されるように、復旧負荷に出力制御指令を行う。
【０１８０】
具体的には、図１４に示すように、出力制御指令部１３０は、自動復旧テーブル１４５を参照して、蓄電装置３１０に１ｋＷの電力が供給されるように出力制御指令を行う。つまり、出力制御指令部１３０は、出力制御指令として、蓄電装置３１０に１ｋＷの電力を充電させる充放電指令を行う。また、出力制御指令部１３０は、負荷３に１００Ｗの電力が供給されるように、及び負荷ｎに９００Ｗの電力が供給されるように、負荷３と負荷ｎとに出力制御指令を行う。
【０１８１】
以上により、需要家内緊急時需給バランス装置１００が行う復旧処理（図８のＳ１３０）は、終了する。
【０１８２】
以上のように、本実施の形態に係る需要家内緊急時需給バランス装置１００によれば、ＤＧ２１０から電力負荷３００への電力供給が緊急停止された場合に、ＤＧ２１０が発電している電力が、電力負荷３００に供給されている電力から低減されるように、電力負荷３００に出力制御指令を行う。このため、ＤＧ２１０から電力負荷３００への電力供給が緊急停止された場合でも、商用電力系統２０から需要家１０の電力負荷３００に供給されている電力が増加するのを抑制することができる。このように、需要家単位での需給バランスの維持により、商用電力系統に重潮流が流れることを抑制することができるため、商用電力系統を安定化し、系統動揺の発生を抑制することができる。
【０１８３】
また、商用電力系統の系統電力のじょう乱により、ＤＧ２１０から電力負荷３００への電力供給が緊急停止された場合に、電力負荷３００に出力制御指令を行う。このため、瞬時電圧低下などの商用電力系統のじょう乱が発生し、ＤＧ２１０から電力負荷３００への電力供給が緊急停止された場合でも、商用電力系統を安定化し、系統動揺の発生を抑制することができる。
【０１８４】
また、商用電力系統のじょう乱によってインバータ２２０の動作が停止したことにより、ＤＧ２１０から電力負荷３００への電力供給が緊急停止された場合に、電力負荷３００に出力制御指令を行う。このため、インバータ２２０の動作停止によって、ＤＧ２１０から電力負荷３００への電力供給が緊急停止された場合でも、商用電力系統を安定化し、系統動揺の発生を抑制することができる。
【０１８５】
また、緊急停止フラグが、ＤＧ２１０から電力負荷３００への電力供給が緊急停止されたことを示している場合に、電力負荷３００に出力制御指令を行う。このため、緊急停止フラグによって当該緊急停止されたか否かを容易に判断することができる。
【０１８６】
また、事前設定テーブル１４１を用いて、優先順位が高い電力負荷から供給する電力を低減するように、電力負荷３００に出力制御指令を行う。このため、事前に設定した優先順位に従って電力負荷３００に供給する電力を低減することができる。また、事前設定テーブル１４１によって、優先順位を容易に判断することができる。したがって、ＤＧ２１０から電力負荷３００への電力供給が緊急停止された場合でも、容易に事前に設定した優先順位を判断して、電力負荷３００に出力制御指令を行うことができる。
【０１８７】
また、所定の周期で更新される定周期受信情報テーブル１４２を用いて、ＤＧ２１０が発電している電力が、電力負荷３００に供給されている電力から低減されるように、優先順位が高い電力負荷から電力供給を低減していく。このため、定周期受信情報テーブル１４２を参照することで、電力負荷３００に供給されている最新の電力値を容易に取得でき、電力負荷３００への出力制御指令を正確に行うことができる。したがって、ＤＧ２１０から電力負荷３００への電力供給が緊急停止された場合でも、容易に、電力負荷３００への出力制御指令を正確に行うことができる。
【０１８８】
また、所定の周期で更新される制御テーブル１４４を用いて、電力負荷３００に出力制御指令を行う。このため、制御テーブル１４４を参照することで、容易に、電力負荷３００に最新の出力制御指令を行うことができるため、電力負荷３００への出力制御指令を正確に行うことができる。したがって、ＤＧ２１０から電力負荷３００への電力供給が緊急停止された場合でも、容易に、電力負荷３００への出力制御指令を正確に行うことができる。
【０１８９】
また、分散型電源から複数の電力負荷への電力供給が緊急停止された後に再開された場合に、再開により増加される発電電力値の電力が、電力負荷に供給されている電力から増加されるように、電力負荷に出力制御指令を行う。このため、分散型電源から電力負荷への電力供給が再開された場合に、商用電力系統から需要家の電力負荷に供給されている電力が減少するのを抑制することができる。このように、需要家単位での需給バランスの維持により、商用電力系統を安定化し、系統動揺の発生を抑制することができる。
【０１９０】
また、事前設定テーブルを参照して、電力負荷に供給する電力を低減する優先順位が低い電力負荷から供給電力を増加するように、復旧負荷と復旧電力値とを決定して、出力制御指令を行う。つまり、供給電力を低減した順番とは逆の順番で供給電力を増加するように、復旧負荷と復旧電力値とを決定して、出力制御指令を行う。これにより、復旧する必要性が高い電力負荷から優先的に供給電力の復旧を行うことができる。また、事前設定テーブルによって、優先順位を容易に判断することができる。したがって、分散型電源から複数の電力負荷への電力供給が緊急停止された後に再開された場合でも、容易に事前に設定した優先順位を判断して、電力負荷に出力制御指令を行うことができ、商用電力系統を安定化し、系統動揺の発生を抑制することができる。
【０１９１】
また、ＤＧ２１０から電力負荷３００への電力供給が再開された場合に、自動復旧テーブル１４５を用いて、電力負荷３００への電力供給が復旧されるように、電力負荷３００に出力制御指令を行う。このため、ＤＧ２１０から電力負荷３００への電力供給が再開された場合に、自動的に電力負荷３００への電力供給が復旧される。また、自動復旧テーブル１４５を参照することで、容易に、電力負荷３００への電力供給を復旧することができる。したがって、ＤＧ２１０から電力負荷３００への電力供給が緊急停止された場合でも、ＤＧ２１０から電力負荷３００への電力供給が再開されれば、容易に、自動的に電力負荷３００への電力供給を復旧することができる。
【０１９２】
また、電力負荷３００が有する複数の電力負荷のうちの少なくとも１つは蓄電装置３１０である。そして、ＤＧ２１０から電力負荷３００への電力供給が緊急停止された場合に、蓄電装置３１０への充電を停止し、蓄電装置３１０から放電させるように、蓄電装置３１０に出力制御指令を行う。これにより、ＤＧ２１０から電力負荷３００への電力供給が緊急停止された場合でも、蓄電装置３１０と異なる他の電力負荷である負荷３２０への供給電力の低減量を抑えることができる。
【０１９３】
これらのことから、本実施の形態に係る需要家内緊急時需給バランス装置１００によれば、商用電力系統を安定化し、系統動揺の発生を抑制することができる。
【０１９４】
（第１の変形例）
上記実施の形態では、ＤＧ２１０の発電電力値から低減負荷と供給電力値とを決定し、ＤＧ状変時受信情報テーブル１４３の緊急停止フラグを用いてＤＧ２１０の緊急停止状態を判断し、低減負荷に出力制御指令を行うこととした。しかし、本第１の変形例では、電力値取得部１１０が取得するＤＧの発電電力値の変化量からＤＧの緊急停止状態を判断し、当該変化量から低減負荷と供給電力値とを決定する。
【０１９５】
図１５は、本実施の形態の第１の変形例に係る需要家内緊急時需給バランス装置１０１の機能構成を示すブロック図である。
【０１９６】
ここで、同図に示すように、分散型電源システム２０１は、分散型電源であるＤＧ２１１及びＤＧ２１２と、ＤＧ２１１及びＤＧ２１２のそれぞれから出力される直流電力を交流電力に変換するインバータ２２１及びインバータ２２２とを備えている。
【０１９７】
なお、ＤＧ２１１及びＤＧ２１２と、インバータ２２１及びインバータ２２２とは、図２に示されたＤＧ２１０とインバータ２２０と同様の機能を有するため、詳細な説明は省略する。なお、同図では２組のＤＧとインバータとを示しているが、２組には限定されず、何組備えられていてもよい。
【０１９８】
また、需要家内緊急時需給バランス装置１０１は、分散型電源システム２０１及び商用電力系統２０から電力負荷３００に供給される電力の需給バランスを制御するコンピュータである。なお、商用電力系統２０及び電力負荷３００は、図２に示された商用電力系統２０及び電力負荷３００と同様の機能を有するため、詳細な説明は省略する。
【０１９９】
そして、同図に示すように、需要家内緊急時需給バランス装置１０１は、電力値取得部１１１、供給電力決定部１２１、出力制御指令部１３１及び記憶部１４６を備えている。なお、ここでは、電力値取得部１１１、供給電力決定部１２１、出力制御指令部１３１及び記憶部１４６について、図２に示された電力値取得部１１０、供給電力決定部１２０、出力制御指令部１３０及び記憶部１４０と異なる機能について、以下に説明を行うこととし、同様の機能については説明を省略する。
【０２００】
電力値取得部１１１は、分散型電源システム２０１から電力負荷３００への電力供給が緊急停止される場合での、緊急停止により低減される供給電力の低減量を示すＤＧ２１１及びＤＧ２１２の発電電力値を、分散型電源システム２０１から所定の周期で取得する。ここで、本第１の変形例では、分散型電源システム２０１の緊急停止により低減される供給電力の低減量を示すＤＧ２１１及びＤＧ２１２の発電電力値とは、ＤＧ２１１及びＤＧ２１２の発電電力値の所定時間内での減少量である。
【０２０１】
なお、本第１の変形例では、分散型電源システム２０１から電力負荷３００への電力供給が緊急停止されるとは、ＤＧ２１１及びＤＧ２１２のうち少なくとも１つが脱落する、又は完全に脱落しなくとも出力が大幅に減少することをいう。また、所定時間とは、どのような時間でもよいが、例えば、ｓｅｃオーダーの時間である。
【０２０２】
供給電力決定部１２１は、電力値取得部１１１が取得した当該減少量が所定の値を超える場合に、減少量の電力が電力負荷３００に供給されている電力から低減されるように、低減負荷と供給電力値とを決定する。ここで、所定の値とは、どのような値であってもよいが、例えば、ＤＧ２１１及びＤＧ２１２の発電電力値の５０％に対応する値である。
【０２０３】
出力制御指令部１３１は、電力値取得部１１１が取得した当該減少量が当該所定の値を超える場合に、分散型電源システム２０１から電力負荷３００への電力供給が緊急停止されたと判断し、低減負荷に出力制御指令を行う。
【０２０４】
記憶部１４６は、需要家内緊急時需給バランス装置１０１による需給バランスの制御に用いられるデータテーブルである事前設定テーブル１４１、定周期受信情報テーブル１４２、制御テーブル１４４及び自動復旧テーブル１４５等を記憶する半導体メモリ等である。つまり、記憶部１４６には、図２に示されたＤＧ状変時受信情報テーブル１４３以外は、図２に示された記憶部１４０に記憶されている各データテーブルと同様のデータテーブルを記憶しているため、これらのデータテーブルの詳細な説明は省略する。
【０２０５】
次に、需要家内緊急時需給バランス装置１０１が行う処理について説明する。なお、図８に示された上記実施の形態に係る需要家内緊急時需給バランス装置１００が行う処理と同様の処理の詳細については、省略して説明を行う。
【０２０６】
図１６は、本実施の形態の第１の変形例に係る需要家内緊急時需給バランス装置１０１の動作の一例を示すフローチャートである。
【０２０７】
同図に示すように、まず、記憶部１４６に、事前設定テーブル１４１が記憶される（Ｓ４０２）。
【０２０８】
次に、電力値取得部１１１は、分散型電源システム２０１から、ＤＧ２１１及びＤＧ２１２の発電電力値を取得し（Ｓ４０４）、電力負荷３００のそれぞれの電力負荷に供給されている現電力値を取得し（Ｓ４０６）、定周期受信情報テーブル１４２を更新する（Ｓ４０８）。
【０２０９】
そして、電力値取得部１１１は、ＤＧ２１１及びＤＧ２１２の発電電力値の所定時間内での減少量を取得する（Ｓ４１０）。
【０２１０】
次に、供給電力決定部１２１は、電力値取得部１１１が取得した当該減少量が所定の値を超えているか否かを判断する（Ｓ４１２）。なお、ＤＧ２１１及びＤＧ２１２が太陽光発電の場合は、曇り等によるＤＧ２１１及びＤＧ２１２の出力変動により、当該減少量が所定の値を超える場合があるが、この場合には、供給電力決定部１２１は、当該減少量が所定の値を超えていないと判断する。
【０２１１】
供給電力決定部１２１は、当該減少量が所定の値を超えていないと判断した場合は（Ｓ４１２でＮＯ）、再度、電力値取得部１１１が発電電力値を取得する処理（Ｓ４０４）に戻る。
【０２１２】
供給電力決定部１２１は、当該減少量が所定の値を超えていると判断した場合は（Ｓ４１２でＹＥＳ）、減少量の電力が電力負荷３００に供給されている電力から低減されるように、低減負荷と供給電力値とを決定する（Ｓ４１４）。なお、この供給電力決定部１２１が低減負荷と供給電力値とを決定する処理については、図１１に示された処理と同様であるため、詳細な説明は省略する。
【０２１３】
そして、供給電力決定部１２１が制御テーブル１４４を更新し（Ｓ４１６）、出力制御指令部１３１が低減負荷に出力制御指令を行う（Ｓ４１８）。
【０２１４】
次に、ＤＧ２１１及びＤＧ２１２から電力負荷３００への電力供給が再開された場合には、復旧処理が行われる（Ｓ４２０）。この需要家内緊急時需給バランス装置１０１が行う復旧処理については、図１２に示された処理と同様であるため、詳細な説明は省略する。
【０２１５】
以上により、需要家内緊急時需給バランス装置１０１が行う処理は、終了する。
【０２１６】
なお、需要家内緊急時需給バランス装置１０１は、復旧処理（Ｓ４２０）が行われた後に、再度、電力値取得部１１１が発電電力値を取得する以降の処理（Ｓ４０４〜Ｓ４２０）を行うことで、停止の指示を受け付けるまで、当該処理（Ｓ４０４〜Ｓ４２０）を繰り返し行うことにしてもよい。
【０２１７】
以上のように、本実施の形態の第１の変形例に係る需要家内緊急時需給バランス装置１０１によれば、ＤＧ２１１及びＤＧ２１２の発電電力値の所定時間内での減少量から、分散型電源システム２０１から電力負荷３００への電力供給が緊急停止されたか否かを判断して、当該減少量の電力が低減されるように低減負荷と供給電力値とを決定し、出力制御指令を行う。つまり、ＤＧ２１１及びＤＧ２１２のように分散型電源が複数備えられている需要家においては、複数の分散型電源の発電電力値の合計値の減少量から、低減負荷と供給電力値とを決定し、出力制御指令を行うことができる。このため、複数の分散型電源のうち一部の分散型電源しか脱落しない場合においても、当該減少量から低減負荷と供給電力値とを決定し、出力制御指令を行うことができる。また、完全には脱落せずに出力が減少する分散型電源についても、減少した出力に応じた低減負荷と供給電力値とを決定し、出力制御指令を行うことができる。したがって、複数の分散型電源を備えている需要家や完全に脱落しない分散型電源を備えている需要家においても、需給バランスを維持することができるため、商用電力系統を安定化し、系統動揺の発生を抑制することができる。
【０２１８】
（第２の変形例）
上記第１の変形例では、ＤＧ２１１及びＤＧ２１２の発電電力値の減少量に応じて、制御テーブル１４４を更新し、低減負荷に出力制御指令を行うこととした。しかし、本第２の変形例では、ＤＧ２１１及びＤＧ２１２の発電電力値の減少量に応じた複数の制御テーブル１４４を予め記憶しておき、ＤＧ２１１及びＤＧ２１２の発電電力値の減少量に応じて、当該複数の制御テーブル１４４から１つの制御テーブル１４４を選択し、低減負荷に出力制御指令を行う。
【０２１９】
ここで、本第２の変形例における分散型電源システム及び需要家内緊急時需給バランス装置については、図１５に示された第１の変形例の分散型電源システム２０１及び需要家内緊急時需給バランス装置１０１と同様の機能構成を有するため、以下では、詳細な説明は省略し、第１の変形例との相違点のみを説明する。
【０２２０】
記憶部１４６は、互いに対応付けられた低減負荷と供給電力値とを含む制御テーブル１４４を、複数記憶している。具体的には、ＤＧ２１１及びＤＧ２１２の発電電力値の所定時間内での減少量が予め複数定められており、記憶部１４６は、当該複数の減少量それぞれに対応付けて、複数の制御テーブル１４４を記憶している。
【０２２１】
また、供給電力決定部１２１は、当該複数の減少量それぞれについて、低減負荷と供給電力値とを決定して、複数の制御テーブル１４４を更新する。
【０２２２】
また、供給電力決定部１２１は、ＤＧ２１１及びＤＧ２１２の発電電力値の所定時間内での減少量が所定の値を超えた場合に、所定の値を超えた減少量に対応した制御テーブル１４４を複数の制御テーブルの中から選択する。
【０２２３】
また、供給電力決定部１２１は、選択した制御テーブル１４４に含まれる低減負荷と供給電力値とを、出力制御指令を行うための低減負荷及び供給電力値と決定する。
【０２２４】
次に、本第２の変形例における需要家内緊急時需給バランス装置１０１が行う処理について説明する。なお、図８及び図１６に示された需要家内緊急時需給バランス装置１００及び需要家内緊急時需給バランス装置１０１が行う処理と同様の処理の詳細については、省略して説明を行う。
【０２２５】
図１７は、本実施の形態の第２の変形例に係る需要家内緊急時需給バランス装置１０１の動作の一例を示すフローチャートである。
【０２２６】
同図に示すように、まず、記憶部１４６に事前設定テーブル１４１が記憶される処理（Ｓ４０２）から、供給電力決定部１２１が低減負荷と供給電力値とを決定する処理（Ｓ５１２）が行われる。なお、これらの処理（Ｓ５０２〜Ｓ５１２）は、図８に示された処理（Ｓ１０２〜Ｓ１１２）と同様であるため、詳細な説明は省略する。
【０２２７】
ここで、供給電力決定部１２１が低減負荷と供給電力値とを決定する処理（Ｓ５１２）においては、供給電力決定部１２１は、複数の減少量それぞれについて、低減負荷と供給電力値とを決定する。つまり、供給電力決定部１２１は、ＤＧ２１１及びＤＧ２１２から電力負荷３００への電力供給が緊急停止されて低減負荷に出力制御指令を行う場合に備えて、複数組の低減負荷と供給電力値とを事前に計算しておく。
【０２２８】
なお、減少量とは、ＤＧ２１１及びＤＧ２１２の発電電力の合計値の減少量である。つまり、供給電力決定部１２１は、ＤＧ２１１及びＤＧ２１２の総発電電力値について、予め定められた複数の減少量のそれぞれについて、低減負荷と供給電力値とを決定する。
【０２２９】
そして、供給電力決定部１２１は、複数の制御テーブル１４４を更新する（Ｓ５１４）。つまり、供給電力決定部１２１は、複数の減少量それぞれについて決定した低減負荷と供給電力値とを、記憶部１４６に記憶させることで、それぞれの制御テーブル１４４を更新する。
【０２３０】
次に、電力値取得部１１１は、ＤＧ２１１及びＤＧ２１２の発電電力値の所定時間内での減少量を取得する（Ｓ５１６）。
【０２３１】
そして、供給電力決定部１２１は、電力値取得部１１１が取得した減少量が所定の値を超えたか否かを判断する（Ｓ５１８）。なお、供給電力決定部１２１は、取得した減少量から、当該減少量が所定の値を超えたか否かを判断するのではなく、当該減少量が所定の値を超えたか否かを示すフラグを分散型電源システム２０１から取得することで、当該フラグから当該減少量が所定の値を超えたか否かを判断することにしてもよい。
【０２３２】
供給電力決定部１２１が、当該減少量が所定の値を超えていないと判断した場合（Ｓ５１８でＮＯ）は、再度、ＤＧ２１１及びＤＧ２１２の発電電力値を取得する処理（Ｓ５０４）に戻り、以降の処理（Ｓ５０４〜Ｓ５１８）を繰り返し行う。
【０２３３】
また、供給電力決定部１２１は、当該減少量が所定の値を超えたと判断した場合（Ｓ５１８でＹＥＳ）は、所定の値を超えた減少量に対応した制御テーブル１４４を複数の制御テーブルの中から選択する（Ｓ５２０）。
【０２３４】
そして、供給電力決定部１２１は、選択した制御テーブル１４４に含まれる低減負荷と供給電力値とを、出力制御指令を行うための低減負荷及び供給電力値と決定する（Ｓ５２２）。
【０２３５】
そして、出力制御指令部１３１は、供給電力決定部１２１が決定した低減負荷に供給電力値の電力が供給されるように、低減負荷に出力制御指令を行う（Ｓ５２４）。
【０２３６】
次に、ＤＧ２１１及びＤＧ２１２から電力負荷３００への電力供給が再開された場合には、復旧処理が行われる（Ｓ５２６）。
【０２３７】
以上により、本第２の変形例における需要家内緊急時需給バランス装置１０１が行う処理は、終了する。
【０２３８】
なお、需要家内緊急時需給バランス装置１０１は、復旧処理（Ｓ５２６）が行われた後に、再度、電力値取得部１１１が発電電力値を取得する以降の処理（Ｓ５０４〜Ｓ５２６）を行うことで、停止の指示を受け付けるまで、当該処理（Ｓ５０４〜Ｓ５２６）を繰り返し行うことにしてもよい。
【０２３９】
以上のように、本実施の形態の第２の変形例に係る需要家内緊急時需給バランス装置１０１によれば、複数の減少量それぞれに対応付けて複数の制御テーブル１４４を記憶しており、複数の制御テーブル１４４から所定の値を超えた減少量に対応した制御テーブル１４４を選択し、出力制御指令を行うための低減負荷及び供給電力値を決定する。つまり、出力制御指令を行うための制御テーブル１４４を予め記憶させておくことで、減少量が所定の値を超えた場合に、低減負荷及び供給電力値を決定するために演算等の処理を行う必要がなく、容易に低減負荷及び供給電力値を決定することができる。したがって、容易に、低減負荷及び供給電力値を決定して、電力負荷に出力制御指令を行うことができ、商用電力系統を安定化し、系統動揺の発生を抑制することができる。
【０２４０】
以上、本発明に係る需要家内緊急時需給バランス装置１００について、上記実施の形態（上記実施の形態の変形例を含む。以下同様）を用いて説明したが、本発明は、これに限定されるものではない。
【０２４１】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０２４２】
例えば、本実施の形態では、事前設定テーブル１４１は、ユーザによって予め作成され、記憶部１４０に事前に記憶されることとした。しかし、事前設定テーブル１４１は、ユーザによって予め作成されて記憶部１４０に事前に記憶されていなくともよく、需要家内緊急時需給バランス装置１００が行う処理の中で作成されて記憶部１４０に記憶され、また更新されることにしてもよい。
【０２４３】
また、本実施の形態では、出力制御指令部１３０は、Ｔ１の値が０からａになるまで、繰り返し、緊急停止フラグの受信値が０であるか否かを判断することとした（図８のＳ１２２）。しかし、緊急停止フラグの受信値が０から１に変更された場合に、分散型電源システム２００が電力値取得部１１０に緊急停止フラグを送信することとし、出力制御指令部１３０は、電力値取得部１１０が受信した緊急停止フラグに従って、緊急停止フラグの受信値が０であるか否かを判断することにしてもよい。
【０２４４】
また、本実施の形態では、出力制御指令部１３０は、Ｔ２の値が０からｂになるまで、繰り返し、電力値取得部１１０が取得したＤＧ２１０の発電電力値が０ｋＷであるか否かを判断することとした（図１２のＳ３１０）。しかし、ＤＧ２１０の発電電力値が０ｋＷよりも大きくなった場合に、分散型電源システム２００が電力値取得部１１０に当該発電電力値を送信することとし、出力制御指令部１３０は、電力値取得部１１０が受信した発電電力値に従って、電力値取得部１１０が取得したＤＧ２１０の発電電力値が０ｋＷであるか否かを判断することにしてもよい。
【０２４５】
また、本実施の形態では、供給電力決定部１２０は、復旧処理時に、ＤＧ２１０からの電力供給が緊急停止された場合に供給電力値が制御値に変更された低減負荷を復旧負荷として決定するとともに、制御値への変更前の現電力値を復旧電力値として決定することとした（図１２のＳ３１６）。しかし、供給電力決定部１２０は、復旧処理時のＤＧ２１０の発電電力値に合わせて、電力負荷３００に供給される電力が当該発電電力値以下の電力しか増加しないように、復旧負荷及び復旧電力値を決定することにしてもよい。この場合、供給電力決定部１２０は、事前設定テーブル１４１を参照し、優先順位が低い電力負荷から供給電力を増加するように、復旧負荷と復旧電力値とを決定する。
【０２４６】
また、本実施の形態では、需要家内緊急時需給バランス装置１００は、自動で復旧処理を行うこととした。しかし、需要家内緊急時需給バランス装置１００は自動で復旧処理を行わず、ユーザが手動で復旧処理を行うことにしてもよい。
【０２４７】
また、本実施の形態では、出力制御指令部１３０は、商用電力系統の系統電力のじょう乱によって分散型電源システム２００のインバータ２２０の動作が停止したことにより、ＤＧ２１０から電力負荷３００への電力供給が緊急停止された場合に、当該低減負荷に出力制御指令を行うこととした。しかし、ＤＧ２１０から電力負荷３００への電力供給が緊急停止される原因は、商用電力系統のじょう乱に限定されず、ＤＧ２１０はどのような原因で緊急停止されてもよい。
【０２４８】
また、本実施の形態では、記憶部１４０には、事前設定テーブル１４１、定周期受信情報テーブル１４２、ＤＧ状変時受信情報テーブル１４３、制御テーブル１４４及び自動復旧テーブル１４５のデータテーブルが記憶されていることとした。しかし、需要家内緊急時需給バランス装置１００が電力の需給バランスを制御することができるのであれば、記憶部１４０に記憶されているデータテーブルは限定されない。
【０２４９】
また、本実施の形態では、記憶部１４０には、定周期受信情報テーブル１４２、ＤＧ状変時受信情報テーブル１４３、制御テーブル１４４及び自動復旧テーブル１４５のデータテーブルが記憶され、それぞれのデータテーブルは更新されることとした。ここで、データテーブルが予め生成されていない場合は、当該データテーブルは初回に生成され、記憶部１４０に記憶されることとする。つまり、データテーブルを更新するとは、初回にデータテーブルを生成することも含むものとする。
【０２５０】
また、本実施の形態では、電力負荷３００は、少なくとも１つの蓄電装置３１０を有していることとした。しかし、電力負荷３００は、蓄電装置３１０を有していなくともよい。
【０２５１】
なお、本発明は、このような需要家内緊急時需給バランス装置１００として実現することができるだけでなく、需要家内緊急時需給バランス装置１００が備える各処理部が行う処理をステップとする需要家内緊急時需給バランス方法として実現することもできる。また、需要家内緊急時需給バランス方法に含まれる特徴的な処理をコンピュータに実行させるプログラムや集積回路として実現したりすることもできる。そして、そのようなプログラムは、ＣＤ−ＲＯＭ等の記録媒体及びインターネット等の伝送媒体を介して流通させることができるのは言うまでもない。
【産業上の利用可能性】
【０２５２】
本発明は、商用電力系統及び分散型電源から需要家の電力負荷に供給される電力の需給バランスを制御する需要家内緊急時需給バランス装置に適用でき、特に、分散型電源から電力負荷への電力供給が緊急停止された場合でも、商用電力系統を安定化し、系統動揺の発生を抑制することができる需要家内緊急時需給バランス装置等に適用できる。
【符号の説明】
【０２５３】
１０  需要家
２０  商用電力系統
３１、３２、３３、３４  商用電力系統
４０、５０  需要家
４１、５１  分散型電源
４２、５２  インバータ
４３、５３  電力負荷
１００、１０１  需要家内緊急時需給バランス装置
１１０、１１１  電力値取得部
１２０、１２１  供給電力決定部
１３０、１３１  出力制御指令部
１４０、１４６  記憶部
１４１  事前設定テーブル
１４２  定周期受信情報テーブル
１４３  ＤＧ状変時受信情報テーブル
１４４  制御テーブル
１４５  自動復旧テーブル
２００、２０１  分散型電源システム
２１０、２１１、２１２  ＤＧ
２２０、２２１、２２２  インバータ
３００  電力負荷
３１０  蓄電装置
３２０  負荷
【図１】
2011223758.tif 000003
【図２】
2011223758.tif 000004
【図３】
2011223758.tif 000005
【図４】
2011223758.tif 000006
【図５】
2011223758.tif 000007
【図６】
2011223758.tif 000008
【図７】
2011223758.tif 000009
【図８】
2011223758.tif 000010
【図９】
2011223758.tif 000011
【図１０】
2011223758.tif 000012
【図１１】
2011223758.tif 000013
【図１２】
2011223758.tif 000014
【図１３】
2011223758.tif 000015
【図１４】
2011223758.tif 000016
【図１５】
2011223758.tif 000017
【図１６】
2011223758.tif 000018
【図１７】
2011223758.tif 000019
【図１８Ａ】
2011223758.tif 000020
【図１８Ｂ】
2011223758.tif 000021